(57)【要約】【課題】雪によるビニールハウスの倒壊を防ぎ、かつ、氷塊によるビニールシートの破損を減少させ、鳥害を軽減するビニールハウスの防護具及び防護具ユニット、それらを有するビニールハウスを提供する。【解決手段】ビニールハウスは、それぞれが棟の方向に直交する複数の面内でアーチ状に曲がる同一形状、同一寸法を有し、棟の方向に沿ってそれぞれ配列された複数本のアーチ材と、複数本のアーチ材のそれぞれと直交し、複数本のアーチ材とでハウス骨組みを構成するように棟の方向に複数本配列された桁材と、ハウス骨組みを覆うように固定されたビニールシートと、長手方向が棟の方向と平行であり、ハウス骨組みの屋根部に固定された支持台と、支持台と同一方向の長手方向を有し、雪割り部を有し、支持台に固定された防護具とを備える。【選択図】      図１９
2020099271.tif 000002
【特許請求の範囲】
【請求項１】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組みを覆うように固定されたビニールシートと、
長手方向が前記棟の方向と平行であり、前記ハウス骨組みの屋根部に固定された支持台と、
前記支持台と同一方向の長手方向を有し、雪割り部を有し、前記支持台に固定された防護具と
を備えることを特徴とするビニールハウス。
【請求項２】
前記ビニールシートが、前記ハウス骨組み及び前記支持台を覆い、前記防護具が、前記ビニールシートを挟んで前記支持台に固定されることを特徴とする請求項１に記載のビニールハウス。
【請求項３】
前記ビニールシートが、前記支持台の下に位置して前記ハウス骨組みを覆い、前記防護具が、前記支持台に直接固定されることを特徴とする請求項１に記載のビニールハウス。
【請求項４】
前記ビニールシートを挟んで、前記支持台へ固定されるたわみ防止用具を更に有することを特徴とする請求項３に記載のビニールハウス。
【請求項５】
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とする請求項１〜４のいずれか１項に記載のビニールハウス。
【請求項６】
前記支持台が、前記第１及び第２の固定溝の間に、それぞれ板状の第１及び第２の支持部を介して、該第１及び第２の支持部に挟まれた凹部を更に有することを特徴とする、請求項５に記載のビニールハウス。
【請求項７】
前記防護具が、前記支持台と一体となった構造であることを特徴とする請求項１に記載のビニールハウス。
【請求項８】
前記支持台が、前記棟の形状に適合した凹部をなす下面を有し、該下面が前記棟の稜線を挟む態様で、前記棟の方向に沿って載置され、
前記防護具が、長尺板状の矩形をなし該矩形の短辺の方向を鉛直方向として、前記矩形の長辺を前記支持台の上面が定義する稜線に接続した雪割り部を有し、
前記ビニールシートに開孔された複数の固定用孔を介して、前記支持台を前記複数本のアーチ材のそれぞれに前記ビニールシートを挟んで固定する複数の固定具を、更に備えることを特徴とする請求項７に記載のビニールハウス。
【請求項９】
それぞれが棟の方向に直交する複数の面内でアーチ状に曲がる同一形状、同一寸法を有し、前記棟の方向に沿ってそれぞれ配列された複数本のアーチ材、前記複数本のアーチ材のそれぞれと直交し、前記複数本のアーチ材とでハウス骨組みを構成するように前記棟の方向に複数本配列された桁材、前記ハウス骨組みを覆うように固定されたビニールシートから構成されるビニールハウス本体に設置される防護具ユニットであって、
長手方向が前記棟の方向と平行であり、前記ハウス骨組みの屋根部に固定された支持台と、
前記支持台と同一方向の長手方向を有し、雪割り部を有し、前記支持台に固定された防護具と
を備えることを特徴とする防護具ユニット。
【請求項１０】
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とする請求項９に記載の防護具ユニット。
【請求項１１】
前記支持台が、前記第１及び第２の固定溝の間に、それぞれ板状の第１及び第２の支持部を介して、該第１及び第２の支持部に挟まれた凹部を更に有することを特徴とする、請求項１０に記載の防護具ユニット。
【請求項１２】
前記防護具が、前記支持台と一体となった構造であることを特徴とする請求項９に記載の防護具ユニット。
【請求項１３】
前記支持台が、前記棟の形状に適合した凹部をなす下面を有し、該下面が前記棟の稜線を挟む態様で、前記棟の方向に沿って載置され、
前記防護具が、長尺板状の矩形をなし該矩形の短辺の方向を鉛直方向として、前記矩形の長辺を前記支持台の上面が定義する稜線に接続した雪割り部を有し、
前記ビニールシートに開孔された複数の固定用孔をそれぞれ貫通する複数の固定具によって、前記支持台が前記複数本のアーチ材のそれぞれに前記ビニールシートを挟んで固定されることを特徴とする請求項１２に記載の防護具ユニット。
【発明の詳細な説明】
【技術分野】
【０００１】
本発明は、農業用のビニールハウスの破損及び倒壊防止用の防護具ユニット、及びその防護具ユニットを有するビニールハウスに関する。
【背景技術】
【０００２】
農業用ビニールハウスは一般的に、金属パイプ等で骨組みを作り、ポリ塩化ビニルフィルム等のビニールシートで覆った構造である。降雪地帯では、積もった雪の重みで倒壊する危険性が高まる。
【０００３】
また、倒壊しなくとも、ビニールハウスの内外のビニールシートの表面に結露した水滴や雪解け水、雨水が凍り、その上に積もった雪がビニールハウス上部のアーチ部分を滑り落ちる際に、ビニールシートの表面に固着した氷塊も共に滑り落ち、ビニールシートを破いてしまう問題が生じる。氷塊は特に、水滴が溜まりやすいビニールハウスの外側の棟付近に多く生じる。ビニールシートが破けると、そこを起点にビニールシートが大きく裂けてしまったり、雨漏りしたりする等、様々な問題の原因となる。
【０００４】
更に、ビニールハウスは１年を通じてカラス等の鳥害に遭うことが知られている。ビニールハウスの棟や縁に鳥が留まり、くちばしで突くことによりビニールシートを突き破ってしまうのである。ビニールシートが破けると、氷塊による破損と同様、その破けた箇所を起点にビニールシートが大きく裂けてしまったり、雨漏りしたりする等、様々な問題の原因となる。
【０００５】
積雪による倒壊の問題を解決するためには、一般的に、ビニールハウス内部に梁を渡したり、中柱や筋交いを設けたり、二重パイプのダブルアーチ構造にしたりする等、主に骨組みを補強する方向で様々な工夫がされている。しかし、１ｍ３当たり、新雪で１５０ｋｇ以上、根雪で５００ｋｇ以上にもなる雪の重さを支えることは容易でなく、ビニールハウスの補強には費用もかかる。特許文献１においては、ビニールハウス用の除雪器具が記載されているが、人力で雪下ろしをしなければならず、労力が多大にかかり、また、下ろした雪がビニールハウスのアーチ部分を作業者側に滑り落ちてくるため、危険を伴う作業となる。雪下ろし作業自体によるビニールシートの破損も度々生じてしまう。
【０００６】
氷塊による破損の問題に対しては、ファン等でビニールハウス内の空気を常に循環させたり、ビニールシートを二重にしたりする等、そもそも結露を生じにくくさせる工夫が考えられている。しかし、ビニールハウスの構造上、冬期には相対的に内部が温かく、外部が冷たい状態となり、土中からの水分蒸発は抑えられず、ビニールハウス内外の表面における結露を完全に防ぐことは極めて困難である。又、ビニールシートをたわませずに張っていたとしても、長期間風雨に曝されることでビニールシートのフィルムが伸縮してたわんでしまうため、そこに雪解け水や雨水が溜まってしまうことを防ぐことは困難である。
【０００７】
鳥害に関しては、特許文献２において、鳥に対する威嚇物をビニールハウスの上部に設置することにより害鳥の飛来を防止する装置が記載されている。害鳥はビニールハウスの主に棟に飛来し留まることが知られており、特許文献２の発明はその飛来を効果的に防ぐことができるが、威嚇物を吊り下げている吊り紐が切れる等のおそれがあるため、降雪地帯の冬期においては取り外さなければならない手間が生じる。又、威嚇物が通用しなかったり、威嚇物の刺激に慣れてしまったりすると、途端に防鳥効果を失ってしまう。
【先行技術文献】
【特許文献】
【０００８】
【特許文献１】特開２００４−１９４５５５号
【特許文献２】特開２００４−２１５５７３号
【発明の概要】
【発明が解決しようとする課題】
【０００９】
本発明は上記の問題に着目してなされたものであって、雪下ろしの手間を省いてビニールハウスの倒壊を防ぎ、かつ、氷塊によるビニールシートの破損を減少させ、鳥害を軽減するビニールハウスの防護具ユニット、その防護具ユニットを有するビニールハウスを提供することを目的とする。
【課題を解決するための手段】
【００１０】
本発明の第１の態様は、（ａ）それぞれが棟の方向に直交する複数の面内でアーチ状に曲がる同一形状、同一寸法を有し、棟の方向に沿ってそれぞれ配列された複数本のアーチ材と、（ｂ）複数本のアーチ材のそれぞれと直交し、複数本のアーチ材とでハウス骨組みを構成するように棟の方向に複数本配列された桁材と、（ｃ）ハウス骨組みを覆うように固定されたビニールシートと、（ｄ）長手方向が棟の方向と平行であり、ハウス骨組みの屋根部に固定された支持台と、（ｅ）支持台と同一方向の長手方向を有し、雪割り部を有し、支持台に固定された防護具とを備えることを特徴とするビニールハウスであることを要旨とする。
【００１１】
本発明の第２の態様は、それぞれが棟の方向に直交する複数の面内でアーチ状に曲がる同一形状、同一寸法を有し、棟の方向に沿ってそれぞれ配列された複数本のアーチ材、複数本のアーチ材のそれぞれと直交し、複数本のアーチ材とでハウス骨組みを構成するように棟の方向に複数本配列された桁材、ハウス骨組みを覆うように固定されたビニールシートから構成されるビニールハウス本体に設置される防護具ユニットであって、（ａ）長手方向が棟の方向と平行であり、ハウス骨組みの屋根部に固定された支持台と、（ｂ）支持台と同一方向の長手方向を有し、雪割り部を有し、支持台に固定された防護具とを備えることを特徴とする防護具ユニットであることを要旨とする。
【発明の効果】
【００１２】
本発明によれば、雪下ろしの手間を省いてビニールハウスの倒壊を防ぎ、かつ、氷塊によるビニールシートの破損を減少させ、鳥害を軽減するビニールハウスの防護具ユニット、その防護具ユニットを有するビニールハウスを提供することができる。
【図面の簡単な説明】
【００１３】
【図１】図１（ａ）は本発明の第３の実施形態に係る防護具ユニットの斜視図であり、図１（ｂ）は図１（ａ）のIB方向から見た図であり、図１（ｃ）は図１（ａ）のIC方向から見た図である。
【図２】図２（ａ）は本発明の第３の実施形態に係る防護具ユニットを取りつけたビニールハウスの斜視図であり、図２（ｂ）は図２（ａ）のＡ部分の拡大図である。
【図３】図２（ｂ）のIII方向から見た拡大断面図である。
【図４】図４（ａ）は本発明の第３の実施形態に係る防護具ユニットを取りつけたビニールハウスの屋根部に雪が積もった状態を、図２（ａ）におけるIV方向から見たイメージ図であり、図４（ｂ）は図４（ａ）の状態から時間が経過し、積雪した雪がビニールハウスから滑り落ちる状態を表すイメージ図である。
【図５】本発明の第３の実施形態に係るビニールハウスに防鳥糸を取りつけた状態を、図２（ａ）におけるIV方向から見た図である。
【図６】図６（ａ）は本発明の第３の実施形態の第１変形例に係る防護具ユニットの斜視図であり、図６（ｂ）は図６（ａ）の正面図である。
【図７】本発明の第３の実施形態の第２変形例に係る防護具ユニットの斜視図である。
【図８】本発明の第３の実施形態の第３変形例に係る防護具ユニットの斜視図である。
【図９】図９（ａ）は本発明の第１の実施形態に係る防護具の斜視図であり、図９（ｂ）は図９（ａ）のIB方向から見た図であり、図９（ｃ）は図９（ａ）のIC方向から見た図である。
【図１０】図９（ｂ）のＡ部分の拡大図である。
【図１１】図１１（ａ）は本発明の第１の実施形態に係る支持台の斜視図であり、図１１（ｂ）は図１１（ａ）のIB方向から見た図であり、図１１（ｃ）は図１１（ａ）のID方向から見た図である。
【図１２】図１２（ａ）は本発明の第１の実施形態の第１変形例に係る支持台の図１１（ｂ）に対応する図であり、図１２（ｂ）は本発明の第１の実施形態の第２変形例に係る支持台の図１１（ｂ）に対応する図である。
【図１３】図１３（ａ）は本発明の第１の実施形態の第３変形例に係る第１支持台の斜視図であり、図１３（ｂ）は図１３（ａ）のIB方向から見た図である。
【図１４】図１４（ａ）は本発明の第１の実施形態に係るビニールハウスのハウス骨組みの組立工程を示す斜視図であり、図１４（ｂ）は図１４（ａ）のIV方向から見た図である。
【図１５】図１４（ｂ）のＡ部分の拡大図である。
【図１６】図１６（ａ）は本発明の第１の実施形態に係るビニールハウスのシート張り工程を示す斜視図であり、図１６（ｂ）は図１６（ａ）のＡ方向から見た断面図である。
【図１７】図１６（ａ）のＢ部分の拡大図である。
【図１８】図１６（ｂ）のＡ部分の拡大断面図である。
【図１９】図１９（ａ）は本発明の第１の実施形態に係るビニールハウスの防護具の取付工程を示す斜視図であり、図１９（ｂ）は図１９（ａ）のＡ方向から見た断面図である。
【図２０】図１９（ｂ）のＡ部分の拡大断面図である。
【図２１】図２１（ａ）は本発明の第１の実施形態に係るビニールハウスのシート張り工程の第１変形例を示す斜視図であり、図２１（ｂ）は図２１（ａ）のＡ方向から見た断面図である。
【図２２】図２１（ｂ）のＡ部分の拡大断面図である。
【図２３】図２３（ａ）は本発明の第１の実施形態に係るビニールハウスのシート張り工程の第２変形例を示す斜視図であり、図２３（ｂ）は図２３（ａ）のＡ方向から見た断面図である。
【図２４】図２３（ｂ）のＡ部分の拡大断面図である。
【図２５】本発明の第２の実施形態に係るビニールハウスのハウス骨組みの組立工程及びシート張り工程を示す斜視図である。
【図２６】本発明の第２の実施形態に係るビニールハウスの支持台の取付工程を示す斜視図である。
【図２７】図２７（ａ）は本発明の第２の実施形態に係るビニールハウスの防護具の取付工程を示す斜視図であり、図２７（ｂ）は図２７（ａ）のIV方向から見た図である。
【図２８】図２７（ｂ）のＡ部分の拡大図である。
【図２９】図２９（ａ）は本発明の第１及び第２の実施形態に係る防護具を取りつけたビニールハウスの屋根部に雪が積もった状態を、図１４（ａ）におけるIV方向から見たイメージ図であり、図２９（ｂ）は図２９（ａ）の状態から時間が経過し、積雪した雪がビニールハウスから滑り落ちる状態を表すイメージ図である。
【図３０】図３０（ａ）は図２６のＡ方向から見た断面図であり、図３０（ｂ）は図３０（ａ）のＡ部分の拡大断面図であり、図３０（ｃ）は図３０（ｂ）の状態にたわみ防止板を取り付けた状態を示す拡大断面図である。
【図３１】図３０（ｂ）の状態にたわみ防止具を取り付けた状態を示す拡大断面図である。
【発明を実施するための形態】
【００１４】
以下において、図面を参照して、本発明の第１〜第３の実施形態を説明する。以下の図面の記載において、同一又は類似の部分には同一又は類似の符号を付している。ただし、図面は模式的なものであり、厚みと平面寸法との関係、各部材の大きさの比率等は現実のものとは異なることに留意すべきである。したがって、具体的な厚み、寸法、大きさ等は以下の説明から理解できる技術的思想の趣旨を参酌してより多様に判断すべきものである。又、図面相互間においても互いの寸法の関係や比率が異なる部分が含まれていることは勿論である。
【００１５】
又、以下に示す本発明の第１〜第３の実施形態は、本発明の技術的思想を具体化するための器具を例示するものであって、本発明の技術的思想は、構成部品の材質、形状、構造、配置等を下記のものに特定するものではない。本発明の技術的思想は、本発明の第１〜第３の実施形態で記載された内容に限定されず、特許請求の範囲に記載された発明特定事項が規定する技術的範囲内において、種々の変更を加えることができる。
【００１６】
（第１の実施形態）
図１４に示すように、本発明の第１の実施形態に係るビニールハウスを構成するビニールハウス本体は、それぞれが棟の方向に直交する複数の面内でアーチ状に曲がる同一形状、同一寸法を有し、棟の方向に沿ってそれぞれ配列された複数本のアーチ材３３ａ〜３３ｊと、この複数本のアーチ材３３ａ〜３３ｊのそれぞれと直交し、棟の方向に複数本配列された桁材３５ａ〜３５ｃとを備える。複数本のアーチ材３３ａ〜３３ｊと桁材３５ａ〜３５ｃとでビニールハウス本体の骨組み（以下において「ハウス骨組み」という。）を成している。
【００１７】
本明細書において「棟」とは、ハウス骨組みにおいて切り妻屋根（三角屋根）の頭頂の稜線に相当する部分を含む構造で、最も高さがある稜線の部分（頭頂部分）及びその周辺部分のことを指す。すなわち、「棟」とは、通常の建築構造の切り妻屋根においては棟木が通されるライン及びその周辺部分であり、「主棟」や「本棟」と呼ばれることもある。図１４においては、桁材３５ａが棟木の役割を担う。
【００１８】
ハウス骨組みの屋根部が蒲鉾ドーム状等の丸型の場合は、棟の稜線は明確ではないが、曲面の母線のうち、最も高さがある母線が「棟」になる。ハウス骨組みの屋根部が屋根型の場合は、複数の傾斜部の交差する分水部分のラインになる。通常であれば「棟の方向」はハウス骨組みの長手方向と一致するはずである。逆に言えば、ハウス骨組みの屋根部は、用いられるアーチ材の種類によって、一様に曲面が続く場合もあれば、傾斜部が交差し分水部分を有する場合もあるが、いずれのタイプを用いても良い。この棟の方向に直交する複数の面内で、複数本のアーチ材３３ａ〜３３ｊのそれぞれがアーチ状を成す。
【００１９】
図１４に示すように、第１の実施形態に係るビニールハウスは長手方向が棟の方向と平行な支持台１４ａを更に備える。支持台１４ａは、図１５に示すように、棟の方向と平行な第１の固定溝２１ａ及び第２の固定溝２１ｂと、第１の支持部２２ａと第２の支持部２２ｂの間に設けられた凹部２０を有する。第１の固定溝２１ａと凹部２０は第１の支持部２２ａで接続され、第２の固定溝２１ｂと凹部２０は第２の支持部２２ｂで接続されている。よって、第１の支持部２２ａ及び第２の支持部２２ｂは、支持台１４ａにおいて、第１の固定溝２１ａ及び第２の固定溝２１ｂより中央寄りに位置することとなる。第１の固定溝２１ａの凹部２０の反対側となる凸部には、第１の固定溝２１ａに連続する矩形板状の第１の辺縁部２３ａが支持台１４の一方の端部として設けられている。第２の固定溝２１ｂの凹部２０の反対側となる凸部には、第２の固定溝２１ｂに連続する矩形板状の第２の辺縁部２３ｂが支持台１４ａの他方の端部として設けられている。
【００２０】
図１１に示すように、第１の辺縁部２３ａは、第１の固定溝２１ａの一方（右側）の壁に連続した矩形板状をなし、第２の辺縁部２３ｂは第２の固定溝２１ｂの一方（左側）の壁に連続した矩形板状をなしている。第１の辺縁部２３ａにおいて、支持台１４ａの短手方向の端部は、支持台１４ａにおける長辺の一方を定義する。第２の辺縁部２３ｂについても第１の辺縁部２３ａと同様に、支持台１４ａにおける長辺の他方を定義する。
【００２１】
即ち、支持台１４ａは、短手方向の一端から順に、第１の辺縁部２３ａ、第１の固定溝２１ａ、第１の支持部２２ａ、凹部２０、第２の支持部２２ｂ、第２の固定溝２１ｂ、第２の辺縁部２３ｂを有する段差形状である。図１５から分かるように、支持台１４ａの長手方向から見た形状については、第１の固定溝２１ａ及び第２の固定溝２１ｂは間口の狭いＵ字型、即ちアリ溝型であり、凹部２０はＷ型である。図１５に示すように、支持台１４ａは、第１の固定溝２１ａ及び第２の固定溝２１ｂの各底部でハウス骨組みの屋根部と接続する。支持台１４ａの第１の辺縁部２３ａ、第１の固定溝２１ａ、第１の支持部２２ａ、凹部２０、第２の支持部２２ｂ、第２の固定溝２１ｂ、第２の辺縁部２３ｂは、別々の部材であってもよいし、すべて又は一部が一体となった構造でもよい。
【００２２】
本明細書において、「支持台１４ａの長手方向」は棟の方向と一致する。即ち、「支持台１４ａの長手方向」とは、第１の固定溝２１ａの溝が走る方向を指す。支持台１４ａの長手方向の長さは、ビニールハウス本体の棟の長さと同一の長さ又は棟の長さより短い長さであるものとする。支持台の長手方向が棟の方向と一致することは、他の実施形態や変形例における支持台においても同様である。支持台１４ａの長手方向の長さが棟の長さよりも短い場合は、複数の支持台を連結させた全体の長手方向の長さが棟の長さと一致するようにしてもよい。支持台１４ａの長手方向の長さが短いほど、支持台１４ａの重量は小さくなるために持ち運びやすくなるが、設置の手間が幾度も生じて扱いが煩雑になりやすい。従って、複数の支持台を連結させる場合は、扱いやすさの観点から、支持台１４ａの長手方向の長さは１〜３ｍ程度に調整するのが好ましい。ハウス骨組みに設置の際、支持台１４ａの長手方向はハウス骨組みの棟の方向に平行に配置されるので、第１の固定溝２１ａ及び第２の固定溝２１ｂ、凹部２０はその棟の方向とも平行の関係となる。
【００２３】
図１１に示す凹部２０は、Ｗ型の溝であるので、中央の山型の両側に谷を２つ有する。支持台１４ａのハウス骨組みへの設置の際は、第１の固定溝２１ａ及び第２の固定溝２１ｂの各底部の他に、凹部２０の２つの谷がハウス骨組みに接することになる。凹部２０の存在により、上方からの荷重をより分散させることが出来るので、支持台１４ａの上部に設置される防護具１０及び積雪した雪等によるハウス骨組みへの負担を軽減することが出来る。支持台１４ａは凹部２０を有していた方が好ましい。支持台１４ａの長手方向から見た凹部２０の形状は、支持台１４ａをアーチ状のハウス骨組みの棟付近に固定させるために、図１１（ｂ）のようにＷ型の溝であることが好ましい。凹部２０として、Ｗ型以外では、底部がハウス骨組みの棟の形状に適合したアーチ形状を有する溝を採用することができる。図１１に示す第１の支持部２２ａの上面は、第１の辺縁部２３ａの上面と同一平面上又は一定の曲率の同一曲面上に属することが好ましい。第２の支持部２２ｂと第２の辺縁部２３ｂとの関係も同様である。
【００２４】
図１１に示す支持台１４ａについては、鋼板やプラスチック等、板状に加工できるものであればいずれでも素材として用いることができる。扱いやすさやコストの面で、鋼板や合成樹脂プレートを用いることが好ましい。鋼板としては、表面処理は必須ではないが、屋外で使用するため、耐食性を高める塗料等を焼き付けたものやメッキ処理を施したものの方がより好ましい。塗料の種類はポリエステル樹脂系やフッ素樹脂系等があるが、いずれでもよい。鋼板の炭素含量割合は、通常鋼板として用いられる程度である０．０４〜２％程度であればいずれでもよい。
【００２５】
図１１に示す支持台１４ａに合成樹脂プレートを用いる際は、メラミン樹脂や尿素樹脂等の熱硬化性樹脂、ポリプロピレン樹脂やポリスチレン樹脂、ABS樹脂、AS樹脂、アクリル樹脂等の熱可塑性樹脂、ポリカーボネートやガラス繊維強化プラスチック（GFRP）、炭素繊維強化プラスチック（CFRP）等の強化プラスチック等、いずれでも用いることができる。特に耐候性や耐食性の観点から、アクリル樹脂や強化プラスチック系の樹脂が好ましい。又、ビニールハウス本体内への太陽光確保の観点からは、透明又は半透明であるアクリル樹脂や尿素樹脂が望ましい。
【００２６】
図１１に示す支持台１４ａについて、ハウス骨組みの棟の方向に沿わせる長手方向の長さは、取り付けるハウス骨組みの棟の長さに合わせて自由に選択することが出来る。支持台１４ａの短手方向の長さについても、ハウス骨組みの規模等により自由に選択することが出来るが、雪割り効果や鳥害を防ぐ効果、荷重等を考慮すると、２０〜６０ｃｍ程度が好ましい。
【００２７】
図１５の部分拡大図においては、支持台１４ａは、第１の固定溝２１ａ及び第２の固定溝２１ｂ、凹部２０の２つの谷の部分において、ハウス骨組みと接続している。支持台１４ａの第１の固定溝２１ａの底部が、図１４（ａ）のハウス骨組みのアーチ材３３ａ〜３３ｊのそれぞれと接する部分において、各種固定器具により固定されている。各種固定器具の図示は省略しているが、なべ型ネジやボルト等を用いることができ、固定方法に特に指定はない。支持台１４ａの第１の固定溝２１ａの底部とハウス骨組みのアーチ材３３ａ〜３３ｊの接する部分すべてで固定してもよいが、必ずしもすべてで固定する必要はなく、例えば１本置きのアーチ材の部分で固定してもよい。第１の固定溝２１ａの底部で説明したが、第２の固定溝２１ｂの底部においても同様である。凹部２０の２つの谷の部分とハウス骨組みとは、固定器具による固定はしてもよいが、しなくてもよい。
【００２８】
そして、図１６に示すように、第１の実施形態に係るビニールハウスは、ハウス骨組み及び支持台１４ａを覆うビニールシート３１を更に備える。本明細書においては、ハウス骨組みと、そのハウス骨組みに張られたビニールシートとで「ビニールハウス本体」が構成されるものとする。ビニールハウス本体の形状は、その構成部材であるハウス骨組みの形状とほぼ一致する。第１の実施形態に係るビニールハウスを構成するビニールハウス本体においては、図１４（ａ）に示すアーチ材３３ａ〜３３ｊ及び桁材３５ａ〜３５ｃにより組まれるハウス骨組みと、図１６（ａ）等に示すビニールシート３１により、ビニールハウス本体が構成される。ハウス骨組みへのビニールシート３１の固定方法は問わない。ビニールシート３１は、図１６に示すように、ハウス骨組みの棟の方向に平行な二筋の溝を構成するように、支持台１４ａの第１の固定溝２１ａ及び第２の固定溝２１ｂの内壁に沿って、第１の固定溝２１ａ及び第２の固定溝２１ｂに埋め込まれている。
【００２９】
図１７に示すように、第１の固定溝２１ａに波型バネ等の押さえ器具８３が嵌め込まれてビニールシート３１を固定している。図示を省略しているが、第２の固定溝２１ｂにも、同様に、押さえ器具が嵌め込まれてビニールシート３１を固定している。図１１（ｂ）において、第１の固定溝２１ａの底部の最下端から第１の支持部２２ａの最上端までの高さを支持台１４ａの「高さ」と定義すると、支持台１４ａの高さは５〜２０ｃｍ程度が好ましい。第１の固定溝２１ａ及び第２の固定溝２１ｂの各底部の幅は、押さえ器具８３が嵌め込まれる程度があればよい。
【００３０】
図１６に示した二筋の溝は、第１の固定溝２１ａ及び第２の固定溝２１ｂに埋め込まれたビニールシート３１の形状を示している。図１７に示すような押さえ器具８３を用いることにより、図１８に示すように、ビニールシート３１が支持台１４ａの第１の固定溝２１ａ及び第２の固定溝２１ｂに密着するように固定される。図１７に示すような押さえ器具８３を設けることにより、ビニールシート３１に固定用の孔や開口部を設けることなく、ハウス骨組みに対するビニールシート３１の相対的位置が決定し、固定することが可能になるので、ビニールシート３１による密閉性を高めることができる。
【００３１】
図１６に示すビニールシート３１は、一般的に農業用ビニールハウス本体へ使用されるものであればいずれでも採用することができ、例えば、農業用ポリ塩化ビニルフィルム（農ポリ）や農業用ポリオレフィンフィルム（農POフィルム）、硬質タイプであるフッ素系樹脂フィルム等が挙げられる。ビニールシート３１は、図１６に示すように、通常ビニールハウス本体の出入り口が設けられる蒲鉾型の互いに対向する２つの平面以外の部分、即ち、ハウス骨組みのアーチ状の部分について、ハウス骨組みの一方の下部から他方の下部まで一体となったものを張ってもよい。又、複数のビニールシートでハウス骨組み及び支持台１４ａの全面を覆ってもよい。例えば、支持台１４ａの第1の固定溝２１ａからそれに近い方のハウス骨組みの一方の下部までを１枚のビニールシートで覆い、第１の固定溝２１ａからハウス骨組みの他方の下部までをもう１枚のビニールシートで覆う等である。複数のビニールシートを使用する際は、ビニールシートが互いに重なり合う部分が生じてもよい。ビニールシートは、ハウス骨組みの肩より下方において、押さえ器具等によりハウス骨組みに固定されていてもよい。
【００３２】
更に、図１９に示すように、第１の実施形態に係るビニールハウスは、支持台１４ａの上に、ビニールシート３１を介して、防護具１０を更に有する。防護具１０は、長手方向が棟の方向と平行で、短手方向の両端部が第１及び第２の鉤爪形状であり、第１及び第２の鉤爪形状をなす端部が、ビニールシート３１を挟んで、支持台１４の第１の辺縁部２３及び第２の辺縁部２３ｂを包み込んでいる。即ち、図１９に示す防護具１０の右側端部が、図１８に示した支持台１４ａの右側端部である第１の辺縁部２３ａを弾性力で包み込み、防護具１０の左側端部が、図１８に示した支持台１４ａの左側端部である第２の辺縁部２３ｂを弾性力で包み込んでいる。図１９に示すように、防護具１０は、中央部に棟の方向に平行となる山型の雪割り部を有して突起部をなしている。本明細書においては、防護具と支持台とで「防護具ユニット」を構成するものとする。図１９においては、防護具１０及び支持台１４ａとで「防護具ユニット」を構成する。
【００３３】
防護具１０の雪割り部（１２ａ，１２ｂ）は、図９（ａ）及び（ｂ）に示すように、第１の傾斜板１２ａ及び第２の傾斜板１２ｂから成る。第１の傾斜板１２ａと第２の傾斜板１２ｂは、それぞれの長辺の一方で接している。第１の傾斜板１２ａ及び第２の傾斜板１２ｂはそれぞれ別の部材から製造されたものでもよいし、１枚の板を折り曲げて製造した一体となった構造でもよい。図９（ｂ）に示すように、第１の傾斜板１２ａと第２の傾斜板１２ｂとで内角θ２を成す。防護具１０の雪割り部（１２ａ，１２ｂ）の頂部は、丸みがある形状でもよいが、雪割り効果や鳥害を防ぐために、尖った形状がより好ましい。
【００３４】
防護具１０の第１の鉤爪形状は、図９（ａ）及び（ｂ）に示すように、第１の支持台１５ｃの短手方向の一端と、それに連続する第１の折り返し部１６ｃとで構成される。第１の折り返し部１６ｃの端部の処理として、図１０に示すように、更に折り返して潰した構造の縁留め部１８ｃが設けられていてもよいし、設けられていなくてもよい。縁留め部１８ｃのような端部の処理がされている場合は、ビニールシートに接触した際にビニールシートを破損するおそれが減少する。第２の鉤爪形状は、図９（ａ）及び（ｂ）に示すように、第２の支持台１５ｄの短手方向の一端と、それに連続する第２の折り返し部１６ｄとで構成される。第２の折り返し部１６ｄの端部の処理については、第１の折り返し部１６ｃと同様である。防護具１０の第１の支持台１５ｃと第１の折り返し部１６ｃとは、それぞれ別の部材であってもよい。第２の支持台１５ｄと第２の折り返し部１６ｄについても同様である。又、第１の支持台１５ｃおよび第２の支持台１５ｄが、雪割り部（１２ａ，１２ｂ）と一体となった構造でもよいし、それぞれ別々の部材でもよい。
【００３５】
図９（ａ）及び（ｂ）、（ｃ）に示す防護具１０は、図１９（ｂ）及び図２０に示すように、支持台１４ａに嵌め込まれるため、長手方向は支持台１４ａの長手方向と同一の長さであり、短手方向は支持台１４ａの短手方向とほぼ同一の長さであることが好ましい。本明細書において防護具１０の短手方向の長さとは、図９（ｂ）における、第１の鉤爪形状の端部から第２の鉤爪形状の端部までの直線距離に等しい。
【００３６】
防護具１０の長手方向の長さが支持台１４ａの長さよりも短い場合は、複数の防護具を連結させた全体の長手方向の長さが支持台１４ａの長さと一致するようにする。防護具１０の長手方向の長さが短いほど、防護具１０の重量は小さくなるために持ち運びやすくなるが、設置の手間が幾度も生じて扱いが煩雑になりやすい。従って、複数の防護具を連結させる場合は、支持台１４ａと同様、扱いやすさの観点から、防護具１０の長手方向の長さは１〜３ｍ程度に調整するのが好ましい。
【００３７】
図９に示す防護具１０の雪割り部（１２ａ，１２ｂ）の高さは、１０〜２０ｃｍ程度が好ましい。防護具１０の第１の支持台１５ｃ及び第２の支持台１５ｄの短手方向の各長さは、１０〜２０ｃｍ程度が好ましい。防護具１０の第１の折り返し部１６ｃ及び第２の折り返し部１６ｄの短手方向の長さは、１〜３ｃｍ程度が好ましい。
【００３８】
防護具１０は、鋼板やプラスチック等、板状に加工できるものであればいずれでも素材として用いることができるが、扱いやすさやコストの面で、鋼板や合成樹脂プレートを用いることが好ましい。鋼板としては、表面処理は必須ではないが、屋外で使用するため、耐食性を高める塗料等を焼き付けたものやメッキ処理を施したものの方がより好ましい。塗料としてより好ましくは、太陽光による温度上昇の観点から、黒色の塗料である。塗料の種類はポリエステル樹脂系やフッ素樹脂系等があるが、いずれでもよい。鋼板の炭素含量割合は、通常鋼板として用いられる程度である０．０４〜２％程度であればいずれでもよい。
【００３９】
防護具１０の素材として合成樹脂プレートを採用する際は、支持台１４ａと同様の考え方で、メラミン樹脂や尿素樹脂等の熱硬化性樹脂、ポリプロピレン樹脂やポリスチレン樹脂、ABS樹脂、AS樹脂、アクリル樹脂等の熱可塑性樹脂、ポリカーボネートやガラス繊維強化プラスチック（GFRP）、炭素繊維強化プラスチック（CFRP）等の強化プラスチック等、いずれでも用いることができる。特に耐候性や耐食性の観点から、アクリル樹脂や強化プラスチック系の樹脂が好ましい。又、ビニールハウス本体内への太陽光確保の観点からは、透明又は半透明であるアクリル樹脂や尿素樹脂が望ましい。
【００４０】
第１の実施形態に係るビニールハウスにおいては、図１９（ｂ）及び図２０に示すように、ビニールハウス本体のビニールシート３１とハウス骨組みとの間に支持台１４ａが設置され、ビニールシート３１を挟むように防護具１０が支持台１４ａに固定される。図２０に示すように、防護具１０の第１の支持台１５ｃは、ビニールシート３１を挟んで、支持台１４ａの第１の支持部２２ａ及び第１の辺縁部２３ａと間接的に接することになる。第２の支持台１５ｄと第２の支持部２２ｂ及び第２の辺縁部２３ｂとの関係についても同様である。従って、支持台１４ａとビニールシート３１との間やビニールシート３１と防護具１０との間に隙間を生じないようにするためには、もし支持台１４ａの第１の支持部２２ａ及び第１の辺縁部２３ａの各上面が曲面であれば、防護具１０の第１の支持台１５ｃの下面も、同一の曲率を有する曲面であることが好ましい。第２の支持台１５ｄについても同様のことが言える。もし支持台１４ａの第１の支持部２２ａ及び第１の辺縁部２３ａの各上面が平面であれば、防護具１０の第１の支持台１５ｃの下面も平面であることが好ましく、第２の支持台１５ｄについても同様のことが言える。
【００４１】
防護具１０を支持台１４ａに嵌め込む際は、防護具１０の長手方向をハウス骨組みの棟の方向と平行にし、ビニールシート３１を挟んで第１の鉤爪形状である端部を支持台１４ａの第１の辺縁部２３ａに嵌め込み、第２の鉤爪形状である端部を第２の辺縁部２３ｂに嵌め込む。第２の鉤爪形状である端部の方を先に嵌め込んでもよい。防護具１０の鉤爪形状である端部の嵌め込みの際には、一方の鉤爪形状である端部を嵌め込んだ後に、図９（ｂ）における内角θ２を弾性（可撓性）を利用して静止状態より一時的に大きくするように、先に嵌め込んだ方の鉤爪形状である端部を支点として防護具１０を短手方向へ引っ張り、他方の鉤爪形状である端部を嵌め込む。防護具１０を短手方向に引っ張り、弾性を利用して内角θ２を一時的に広げることは人力で行えるため、防護具１０の支持台１４ａへの嵌め込みも人力で行うことができる。
【００４２】
第１の実施形態に係るビニールハウスにおいては、図２９（ａ）及び（ｂ）に示すように、防護具１０をビニールハウス本体３０に設置することで、積もった雪６０をビニールハウス本体３０の屋根部から比較的早く、手間もかからずに下に落とすことができる。図２９（ａ）においては、防護具１０を覆い隠す程に積雪した状態であるが、防護具１０の上端部の尖った部分で雪６０の塊に亀裂が入りやすくなり、図２９（ｂ）に示すように、雪６０の塊が防護具１０の山型の雪割り部（１２ａ，１２ｂ）を境に割れ、ビニールハウス本体３０の屋根部の斜面を滑り落ちやすくなる。
【００４３】
防護具１０の主たる素材が鋼板である場合、太陽光やビニールハウス本体３０の内部からの熱供給により、防護具１０の温度が上がって雪６０が融けやすくなり、防護具１０による雪割り効果と、ビニールハウス本体３０の屋根部の斜面からの雪の滑り落ち効果を高めることとなる。特に防護具１０の主たる素材が黒色鋼板である場合、太陽光からの熱供給を受けやすく、防護具１０の温度がより上がりやすい。結果、防護具１０を設置していない場合と比較して、早期に積雪した雪を除去できることとなり、雪の重みによるビニールハウス本体３０の倒壊を防ぐことができる。
【００４４】
又、第１の実施形態に係る防護具１０をビニールハウス本体３０に設置することで、通常であればビニールハウス本体３０の棟付近に生じやすい、ビニールシート表面の氷塊が生じにくくなる。又、仮にビニールシートと防護具１０とのわずかな隙間に氷塊が生じたとしても、生じた氷塊と雪６０とが接触していないため、図２９（ｂ）に示すような雪６０の滑り落ちがあった際にも、氷塊の滑り落ちによるビニールシートの破損が生じない。ビニールシートの破損部分を起点にビニールシートが大きく裂けてしまったり、雨漏りしたりする等、様々な問題を防ぐことができる。
【００４５】
更に、第１の実施形態に係る防護具１０を用いると、図１９（ａ）に示すように、カラスやトンビ等の鳥が防護具１０の上端部の尖った部分に飛来したとしても、くちばしがビニールシート３１まで届かないため、くちばしの突き（つつき）によるビニールシート３１の破損が生じない。ビニールシートの破損部分を起点にビニールシートが大きく裂けてしまったり、雨漏りしたりする等、様々な問題を防ぐことができる。
【００４６】
又、防護具１０の主素材として鋼板を用いた場合、特に黒色鋼板を用いた場合には、鋼板の素材にもよるが、夏期には防護具１０の表面温度が５０〜８０℃と非常に高温となるため、鳥の飛来自体を防ぐ効果を有する。
【００４７】
更に、第１の実施形態に係る防護具１０は、ビニールハウス本体３０の屋根部の一部分のみに設置されるため、ビニールハウス本体３０の温室効果を妨げない。特に防護具１０の主素材として半透明のプラスチック樹脂等を用いた場合には、ビニールハウス本体３０の内部に陰が出来ることがないため、温室効果の妨害はほとんど起こらない。
【００４８】
更に、第１の実施形態に係る防護具１０は、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【００４９】
更に、第１の実施形態に係るビニールハウスにおいては、図１９（ｂ）及び図２０に示すように、防護具１０を支える支持具１４ａがビニールシート３１の下方に位置するため、防護具１０の設置箇所におけるビニールシート３１のたわみが生じにくい。ビニールハウス本体３０の棟付近においてビニールシート３１のたわみが生じにくいので、たわみにおいて生じやすい水たまりやその凍結も生じにくい。
【００５０】
＜ハウス骨組みの詳細＞
第１の実施形態に係るハウス骨組みが成す全体形状には、特に屋根部の形状に着目すると、図１４に示すような蒲鉾ドーム状の丸型の他、両屋根型（切り妻屋根型）、片屋根型等の屋根型等の形状が含まれる。丸型には蒲鉾型の肩の高さ（軒高）を上げた高軒高の形状も含まれる。よって、図１４（ａ）に示すアーチ材３３ａの形状は、ハウス骨組みの形状が丸型の場合には蒲鉾状に折れ曲がった円弧状やＵ字型のものになり、両屋根型の場合には三角形（くの字）に折れ曲がった部分を含む形状になる。
【００５１】
ハウス骨組みが高軒高の形状であれば、アーチ材３３ａの形状は、例えば、曲がりの無い脚部、くの字型の肩部、くの字型の屋根部等の複数の部材の連結から成るものでも良い。小学館の『デジタル大辞泉』によれば、建造物における「アーチ」とは、上方へ弓形に曲がった梁（はり）で、半円・尖頭形・馬蹄形等があると記載されている。「アーチ」には、尖頭形が含まれるので、三角形の尖頭形もアーチである。その他のアーチ材３３ｂ〜３３ｊにおいても同様である。
【００５２】
アーチ材３３ａ〜３３ｊの素材については、パイプ材が一般的であるが、パイプ材に限定されるものではない。Ｈ型鋼、Ｃ型鋼、Ｌ型鋼、半丸パイプ等でも構わない。一般にハウス骨組みが丸型の場合は丸パイプが使われ、ハウス骨組みが屋根型の場合は、角パイプ、Ｈ型鋼、Ｌ型鋼等が用いられる。アーチ材３３ａ〜３３ｊがパイプの場合は、中空の亜鉛メッキ鋼管等が使われる場合が多いが、Ｈ型鋼、Ｃ型鋼、Ｌ型鋼の場合はアルミニウムやアルミニウム合金等の軽量の金属が用いられる。竹をアーチ材として用いてもよく、竹を縦に半割した断面が半円形の材料をアーチ材３３ａ〜３３ｊに用いることも可能である。アーチ材３３ａ〜３３ｊのそれぞれは、１本のパイプから成るものでもよいし、複数のパイプを連結させたものでもよい。図１４（ａ）に示す複数本のアーチ材３３ａ〜３３ｊの形状や本数は例示的なものであって、アーチ材は１０本未満でも１０本以上でもいずれでもよい。
【００５３】
図１４（ａ）に示す通り、第１の実施形態に係るハウス骨組みを構成する桁材３５ａ〜３５ｃは、ハウス骨組みの構造を補強するために設けられ、複数本のアーチ材３３ａ〜３３ｊそれぞれに各種固定具により固定されている。桁材３５ａ、３５ｂ、３５ｃはそれぞれ、通常の建築物で言うところの、棟桁（棟木）、母屋桁、大桁に相当する。図１４においては、図示の便宜のため、桁材３５ａ〜３５ｃは棟の手前側にしか図示されていないが、奥側にも同様の配置で桁材は設けられているものとする。
【００５４】
桁材３５ａ〜３５ｃの素材は、アーチ材３３ａ〜３３ｊと同様、パイプ材が採用可能であるが、パイプ材に限定されるものではない。一般に丸型のハウス骨組みの場合は丸パイプが使われ、屋根型のハウス骨組みの場合は、角パイプ、Ｈ型鋼、Ｌ型鋼等が用いられる。桁材３５ａ〜３５ｃがパイプの場合は、中空の亜鉛メッキ鋼管等が使われる場合が多いが、Ｈ型鋼、Ｃ型鋼、Ｌ型鋼の場合はアルミニウムやアルミニウム合金等の軽量の金属が用いられる。竹を桁材３５ａ〜３５ｃとして用いてもよく、竹を縦に半割した断面が半円形の材料を桁材３５ａ〜３５ｃに用いることも可能である。桁材３５ａ〜３５ｃのそれぞれは、１本のパイプから成るものでもよいし、複数のパイプを連結させたものでもよい。第１の実施形態に係るハウス骨組みについては、アーチ材３３ａ〜３３ｊ及び桁材３５ａ〜３５ｃ以外の構成要素の有無も問わず、又、基礎構造の有無、コンクリートの打設の有無等を問わない一般的なものである。
【００５５】
＜ビニールハウスの設営方法＞
本発明の第１の実施形態に係るビニールハウスの設営においては、まず、ハウス骨組みの組立工程を行う。そして、図１４、図１５に示すように、支持台１４ａを長手方向をハウス骨組みの棟の方向に対して平行に配置させ、ハウス骨組みの棟付近に設置する。その後、シート張り工程において、図１６、図１９に示すように、ハウス骨組み及び支持台１４ａを覆うようにビニールシート３１を固定する。図１６（ａ）に示した二筋の溝には、図１７に示すように、波型バネである押さえ器具８３が嵌め込まれ、ビニールシート３１が支持台１４ａに固定される。更に、防護具の取付工程において、図１９、図２０に示すように、ビニールシート３１を挟んで、防護具１０の第１及び第２の鉤爪形状である両端部が支持台１４ａの第１の辺縁部２３ａ及び第２の辺縁部２３ｂにそれぞれ嵌め込まれ、第１の実施形態に係るビニールハウスが完成する。
【００５６】
上記のような、第１の実施形態に係るビニールハウスの設営方法によれば、防護具１０及び防護具ユニット（１０、１４ａ）は、ビニールハウス本体３０を新設する際に特別な手間や時間を生じさせずに設置することができる。又、第１の実施形態に係るビニールハウスの設営方法によれば、既設のビニールハウス本体３０のビニールシート張替えの際でも設置を容易に行えるという利点がある。第１の実施形態に係るビニールハウスの設営方法によれば、防護具１０及び防護具ユニット（１０、１４ａ）の設置は、他の特別な設置用機材等を用いることなく、１人から数人程度の工事要員で行うことができる。第１の実施形態に係るビニールハウスの設営方法によれば、防護具１０の嵌め込みと逆の工程を踏むことで、防護具１０の取り外しも容易に行うことができる。
【００５７】
−−支持台の第１変形例−−
図１２（ａ）に示すように、第１の実施形態に係るビニールハウスの支持台の第１変形例は、長手方向と平行な第１の固定溝２１ａ及び第２の固定溝２１ｂを有し、第１の固定溝２１ａ及び第２の固定溝２１ｂにそれぞれ連続する矩形板状の第１の辺縁部２３ａ及び第２の辺縁部２３ｂを有する支持台１４ｂである。
【００５８】
第１変形例に係る支持台１４ｂが有する第１の固定溝２１ａ及び第２の固定溝２１ｂ、第１の辺縁部２３ａ及び第２の辺縁部２３ｂは、支持台１４ａと同様の構造である。又、支持台１４ｂ以外の本発明のビニールハウス本体３０を構成する部材である、ハウス骨組み及びビニールシート、防護具の構造及びこれらの部材間の接続関係等は、支持台１４ａを用いた第１の実施形態に係るビニールハウスと同様である。第１の実施形態に係る支持台１４ａと同様に、第１の実施形態の第１変形例に係る支持台１４ｂは、長手方向をハウス骨組みの棟の方向と平行に配置するため、棟の方向と第１の固定溝２１ａ及び第２の固定溝２１ｂとは平行関係となる。又、第１の実施形態に係る支持台１４ａと同様に、支持台１４ｂは、第１の固定溝２１ａ及び第２の固定溝２１ｂの各底部でハウス骨組みの屋根部と接続する。
【００５９】
第１変形例に係る支持台１４ｂが支持台１４ａと異なる点は、図１２（ａ）に示すように、支持台１４ａが有する第１の支持部２２ａ及び第２の支持部２２ｂ、凹部２０の代わりに、第１の固定溝２１ａ及び第２の固定溝２１ｂとを繋ぐ支持部２２ｃを有する点である。支持部２２ｃは上面及び下面共に曲面から成り、長手方向に沿った中央部が山なり構造となっている。即ち、支持台１４ｂは、支持台１４ａにおいて凹部２０を設けない構造と言い換えることができる。
【００６０】
支持台１４ｂは、短手方向の一端から順に、第１の辺縁部２３ａ、第１の固定溝２１ａ、支持部２２ｃ、第２の固定溝２１ｂ、第２の辺縁部２３ｂを有する。支持台１４ｂの第１の辺縁部２３ａ、第１の固定溝２１ａ、支持部２２ｃ、第２の固定溝２１ｂ、第２の辺縁部２３ｂは、別々の部材であってもよいし、すべて又は一部が一体となった構造でもよい。支持台１４ｂの素材や、長手方向及び短手方向等のサイズについては、支持台１４ａと同様である。
【００６１】
支持台１４ｂが設置されたハウス骨組みには、支持台１４ａが設置された場合と同様に、図１６（ａ）のように、ビニールシート３１を張ることが出来る。更に、支持台１４ａが設置された場合と同様に、図１９（ａ）のように、防護具１０を設置することが出来る。
【００６２】
第１の実施形態の第１変形例に係る支持台１４ｂを用いたビニールハウスについては、図２９（ａ）及び（ｂ）に示すように、防護具１０をビニールハウス本体３０に設置することで、積もった雪６０をビニールハウス本体３０の屋根部から比較的早く、手間もかからずに下に落とすことができる。図２９（ａ）においては、防護具１０を覆い隠す程に積雪した状態であるが、防護具１０の上端部の尖った部分で雪６０の塊に亀裂が入りやすくなり、図２９（ｂ）に示すように、雪６０の塊が防護具１０の山型の雪割り部（１２ａ，１２ｂ）を境に割れ、ビニールハウス本体３０の屋根部の斜面を滑り落ちやすくなる。
【００６３】
防護具１０の主たる素材が鋼板である場合、太陽光やビニールハウス本体３０の内部からの熱供給により、防護具１０の温度が上がって雪６０が融けやすくなり、防護具１０による雪割り効果と、ビニールハウス本体３０の屋根部の斜面からの雪の滑り落ち効果を高めることとなる。特に防護具１０の主たる素材が黒色鋼板である場合、太陽光からの熱供給を受けやすく、防護具１０の温度がより上がりやすい。結果、防護具１０を設置していない場合と比較して、早期に積雪した雪を除去できることとなり、雪の重みによるビニールハウス本体３０の倒壊を防ぐことができる。
【００６４】
又、第１の実施形態に係る防護具１０をビニールハウス本体３０に設置することで、通常であればビニールハウス本体３０の棟付近に生じやすい、ビニールシート表面の氷塊が生じにくくなる。又、仮にビニールシートと防護具１０とのわずかな隙間に氷塊が生じたとしても、生じた氷塊と雪６０とが接触していないため、図２９（ｂ）に示すような雪６０の滑り落ちがあった際にも、氷塊の滑り落ちによるビニールシートの破損が生じない。ビニールシートの破損部分を起点にビニールシートが大きく裂けてしまったり、雨漏りしたりする等、様々な問題を防ぐことができる。
【００６５】
更に、第１の実施形態の第１変形例に係る支持台１４ｂを用いたビニールハウスは、図１９（ａ）に示すように、カラスやトンビ等の鳥が防護具１０の上端部の尖った部分に飛来したとしても、くちばしがビニールシート３１まで届かないため、くちばしの突き（つつき）によるビニールシート３１の破損が生じない。ビニールシートの破損部分を起点にビニールシートが大きく裂けてしまったり、雨漏りしたりする等、様々な問題を防ぐことができる。
【００６６】
又、防護具１０の主素材として鋼板を用いた場合、特に黒色鋼板を用いた場合には、鋼板の素材にもよるが、夏期には防護具１０の表面温度が５０〜８０℃と非常に高温となるため、鳥の飛来自体を防ぐ効果を有する。
【００６７】
更に、第１の実施形態の第１変形例に係る支持台１４ｂ及び防護具１０は、ビニールハウス本体３０の屋根部の一部分のみに設置されるため、ビニールハウス本体３０の温室効果を妨げない。特に防護具１０および支持台１４ｂの主素材として半透明のプラスチック樹脂等を用いた場合には、ビニールハウス本体３０の内部に陰が出来ることがないため、温室効果の妨害はほとんど起こらない。
【００６８】
更に、第１の実施形態の第１変形例に係る支持台１４ｂ及び防護具１０は、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【００６９】
更に、第１の実施形態の第１変形例に係る支持台１４ｂ及び防護具１０は、ビニールハウス本体３０を新設する際に特別な手間や時間を生じさせずに設置することができ、又、既設のビニールハウス本体３０のビニールシート張替えの際でも設置を容易に行えるという利点がある。第１の実施形態の第１変形例に係る支持台１４ｂ及び防護具１０の設置は、他の特別な設置用機材等を用いることなく、１人から数人程度の工事要員で行うことができる。防護具１０の嵌め込みと逆の工程を踏むことで、防護具１０の取り外しも容易に行うことができる。
【００７０】
更に、第１の実施形態の第１変形例に係る支持台１４ｂを用いたビニールハウスにおいては、図１９（ｂ）及び図２０に示すのと同様に、防護具１０を支える支持具１４ｂがビニールシート３１の下方に位置するため、防護具１０の設置箇所におけるビニールシート３１のたわみが生じにくい。ビニールハウス本体３０の棟付近においてビニールシート３１のたわみが生じにくいので、たわみにおいて生じやすい水たまりやその凍結も生じにくい。
【００７１】
−−支持台の第２変形例−−
図１２（ｂ）に示すように、第１の実施形態に係るビニールハウスの支持台の第２変形例は、長手方向と平行な第１の固定溝２１ａ及び第２の固定溝２１ｂを有し、第１の固定溝２１ａ及び第２の固定溝２１ｂにそれぞれ連続する矩形板状の第１の辺縁部２３ａ及び第２の辺縁部２３ｂを有する支持台１４ｃである。
【００７２】
第２変形例に係る支持台１４ｃが有する第１の固定溝２１ａ及び第２の固定溝２１ｂ、第１の辺縁部２３ａ及び第２の辺縁部２３ｂは、支持台１４ａと同様の構造である。又、支持台１４ｃ以外の本発明のビニールハウス本体３０を構成する部材である、ハウス骨組み及びビニールシート、防護具の構造及びこれらの部材間の接続関係等は、支持台１４ａを用いた第１の実施形態に係るビニールハウスと同様である。第１の実施形態に係る支持台１４ａと同様に、第１の実施形態の第２変形例に係る支持台１４ｃは、長手方向をハウス骨組みの棟の方向と平行に配置するため、棟の方向と第１の固定溝２１ａ及び第２の固定溝２１ｂとは平行関係となる。又、第１の実施形態に係る支持台１４ａと同様に、支持台１４ｃは、第１の固定溝２１ａ及び第２の固定溝２１ｂの各底部でハウス骨組みの屋根部と接続する。
【００７３】
第２変形例に係る支持台１４ｃが支持台１４ａと異なる点は、図１２（ｂ）に示すように、支持台１４ａが有する第１の支持部２２ａ及び第２の支持部２２ｂ、凹部２０の代わりに、第１の固定溝２１ａ及び第２の固定溝２１ｂとを繋ぐ支持部２２ｄを有する点である。支持部２２ｄは、中央部において２つの平板が合わさったような構造であり、長手方向に沿った中央部で山型構造を形成している。即ち、支持台１４ｂにおける支持部２２ｃの上面及び下面が曲面から成る構造であったのに対して、支持台１４ｃの支持部２２ｄの上面及び下面は平面から成る構造である。
【００７４】
支持台１４ｃは、短手方向の一端から順に、第１の辺縁部２３ａ、第１の固定溝２１ａ、支持部２２ｄ、第２の固定溝２１ｂ、第２の辺縁部２３ｂを有する。支持台１４ｃの第１の辺縁部２３ａ、第１の固定溝２１ａ、支持部２２ｄ、第２の固定溝２１ｂ、第２の辺縁部２３ｂは、別々の部材であってもよいし、すべて又は一部が一体となった構造でもよい。支持台１４ｃの素材や、長手方向及び短手方向、高さ等のサイズについては、支持台１４ａと同様である。
【００７５】
支持台１４ｃが設置されたハウス骨組みには、支持台１４ａが設置された場合と同様に、図１６（ａ）のように、ビニールシート３１を張ることが出来る。更に、支持台１４ａが設置された場合と同様に、図１９（ａ）のように、防護具１０を設置することが出来る。  
【００７６】
第１の実施形態の第２変形例に係る支持台１４ｃを用いたビニールハウスにおいては、図２９（ａ）及び（ｂ）に示すように、防護具１０をビニールハウス本体３０に設置することで、積もった雪６０をビニールハウス本体３０の屋根部から比較的早く、手間もかからずに下に落とすことができる。図２９（ａ）においては、防護具１０を覆い隠す程に積雪した状態であるが、防護具１０の上端部の尖った部分で雪６０の塊に亀裂が入りやすくなり、図２９（ｂ）に示すように、雪６０の塊が防護具１０の山型の雪割り部（１２ａ，１２ｂ）を境に割れ、ビニールハウス本体３０の屋根部の斜面を滑り落ちやすくなる。
【００７７】
防護具１０の主たる素材が鋼板である場合、太陽光やビニールハウス本体３０の内部からの熱供給により、防護具１０の温度が上がって雪６０が融けやすくなり、防護具１０による雪割り効果と、ビニールハウス本体３０の屋根部の斜面からの雪の滑り落ち効果を高めることとなる。特に防護具１０の主たる素材が黒色鋼板である場合、太陽光からの熱供給を受けやすく、防護具１０の温度がより上がりやすい。結果、防護具１０を設置していない場合と比較して、早期に積雪した雪を除去できることとなり、雪の重みによるビニールハウス本体３０の倒壊を防ぐことができる。
【００７８】
又、第１の実施形態の第２変形例に係る支持台１４ｃ及び防護具１０をビニールハウス本体３０に設置することで、通常であればビニールハウス本体３０の棟付近に生じやすい、ビニールシート表面の氷塊が生じにくくなる。又、仮にビニールシートと防護具１０とのわずかな隙間に氷塊が生じたとしても、生じた氷塊と雪６０とが接触していないため、図２９（ｂ）に示すような雪６０の滑り落ちがあった際にも、氷塊の滑り落ちによるビニールシートの破損が生じない。ビニールシートの破損部分を起点にビニールシートが大きく裂けてしまったり、雨漏りしたりする等、様々な問題を防ぐことができる。
【００７９】
更に、第１の実施形態に係る防護具１０を用いると、図１９（ａ）に示すように、カラスやトンビ等の鳥が防護具１０の上端部の尖った部分に飛来したとしても、くちばしがビニールシート３１まで届かないため、くちばしの突き（つつき）によるビニールシート３１の破損が生じない。ビニールシートの破損部分を起点にビニールシートが大きく裂けてしまったり、雨漏りしたりする等、様々な問題を防ぐことができる。
【００８０】
又、防護具１０の主素材として鋼板を用いた場合、特に黒色鋼板を用いた場合には、鋼板の素材にもよるが、夏期には防護具１０の表面温度が５０〜８０℃と非常に高温となるため、鳥の飛来自体を防ぐ効果を有する。
【００８１】
更に、第１の実施形態の第２変形例に係る支持台１４ｃ及び防護具１０は、ビニールハウス本体３０の屋根部の一部分のみに設置されるため、ビニールハウス本体３０の温室効果を妨げない。特に支持台１４ｃ及び防護具１０の主素材として半透明のプラスチック樹脂等を用いた場合には、ビニールハウス本体３０の内部に陰が出来ることがないため、温室効果の妨害はほとんど起こらない。
【００８２】
更に、第１の実施形態の第２変形例に係る支持台１４ｃ及び防護具１０は、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【００８３】
更に、第１の実施形態の第２変形例に係る支持台１４ｃ及び防護具１０は、ビニールハウス本体３０を新設する際に特別な手間や時間を生じさせずに設置することができ、又、既設のビニールハウス本体３０のビニールシート張替えの際でも設置を容易に行えるという利点がある。第１の実施形態の第２変形例に係る支持台１４ｃ及び防護具１０の設置は、他の特別な設置用機材等を用いることなく、１人から数人程度の工事要員で行うことができる。防護具１０の嵌め込みと逆の工程を踏むことで、防護具１０の取り外しも容易に行うことができる。
【００８４】
更に、第１の実施形態の第２変形例に係る支持台１４ｃを用いたビニールハウス本体３０においては、図１９（ｂ）及び図２０に示すのと同様に、防護具１０を支える支持具１４ｃがビニールシート３１の下方に位置するため、防護具１０の設置箇所におけるビニールシート３１のたわみが生じにくい。ビニールハウス本体３０の棟付近においてビニールシート３１のたわみが生じにくいので、たわみにおいて生じやすい水たまりやその凍結も生じにくい。
【００８５】
−−支持台の第３変形例−−
第１の実施形態に係るビニールハウスの支持台の第３変形例は、図１３に示すように、長手方向と平行な第１の固定溝２１ａを有し、第１の固定溝２１ａに連続する矩形板状の第１の辺縁部２３ａを有する第１支持台１４ｄと、図示は省略するが、第１支持台１４ｄと同一形状の第２支持台から成る支持台である。第２支持台は、第１の固定溝２１ａと同一形状の第２の固定溝と、第１の辺縁部２３ａと同一形状の第２の辺縁部を有する。
【００８６】
第３変形例に係る第１支持台１４ｄが有する第１の固定溝２１ａ及び第１の辺縁部２３ａは、図１１に示した第１の実施形態に係る支持台１４ａの第１の固定溝２１ａ及び第１の辺縁部２３ａと同様の構造である。又、図示を省略した第３変形例に係る第２支持台が有する第２の固定溝及び第２の辺縁部は、支持台１４ａの第２の固定溝２１ｂ及び第２の辺縁部２３ｂと同様の構造である。そして、第１支持台１４ｄ以外の本発明のビニールハウス本体３０を構成する部材である、ハウス骨組み及びビニールシート、防護具の構造及びこれらの部材間の接続関係等は、支持台１４ａを用いた第１の実施形態に係るビニールハウスと同様である。第１の実施形態に係る支持台１４ａと同様に、第１の実施形態の第３変形例に係る第１支持台１４ｄ及び第２支持台は、長手方向をハウス骨組みの棟の方向と平行に配置するため、棟の方向と第１の固定溝２１ａ及び第２の固定溝とは平行関係となる。又、第１の実施形態に係る支持台１４ａと同様に、第１支持台１４ｄは、第１の固定溝２１ａの底部でハウス骨組みの屋根部と接続し、第２支持台は、第２の固定溝の底部でハウス骨組みの屋根部と接続する。
【００８７】
第３変形例に係る第１支持台１４ｄ及び第２支持台が支持台１４ａと異なる点は、図１３に示すように、第１の実施形態に係る支持台１４ａが有する第１の支持部２２ａ、凹部２０及び第２の支持部２２ｂがない点である。第１支持台１４ｄは、第１の実施形態に係る支持台１４ａの第１の固定溝２１ａ及び第１の辺縁部２３ａと同様の構造であり、ハウス骨組みへの設置位置は、支持台１４ａの第１の固定溝２１ａの底部がハウス骨組みと接する位置と一致する。第２支持台は、第１の実施形態に係る支持台１４ａの第２の固定溝２１ｂ及び第２の辺縁部２３ｂと同様の構造であり、ハウス骨組みへの設置位置は、支持台１４ａの第２の固定溝２１ｂの底部がハウス骨組みと接する位置と一致する。
【００８８】
第１支持台１４ｄは、短手方向の一端から順に、第１の辺縁部２３ａ、第１の固定溝２１ａを有し、第２支持台は、短手方向の一端から順に、第２の辺縁部、第２の固定溝を有する。第１支持台１４ｄの第１の辺縁部２３ａ及び第１の固定溝２１ａは別々の部材であってもよいし、一体となった構造でもよい。第２支持台の第２の辺縁部及び第２の固定溝についても同様である。第１支持台１４ｄ及び第２支持台の素材や、長手方向のサイズについては、支持台１４ａと同様である。
【００８９】
第１支持台１４ｄ及び第２支持台が設置されたハウス骨組みには、支持台１４ａが設置された場合と同様に、図１６（ａ）のように、ビニールシート３１を張ることが出来る。更に、支持台１４ａが設置された場合と同様に、図１９（ａ）のように、防護具１０を設置することが出来る。  
【００９０】
第１の実施形態の第３変形例に係る第１支持台１４ｄ及び第２支持台を用いたビニールハウスにおいては、図２９（ａ）及び（ｂ）に示すように、防護具１０をビニールハウス本体３０に設置することで、積もった雪６０をビニールハウス本体３０の屋根部から比較的早く、手間もかからずに下に落とすことができる。図２９（ａ）においては、防護具１０を覆い隠す程に積雪した状態であるが、防護具１０の上端部の尖った部分で雪６０の塊に亀裂が入りやすくなり、図２９（ｂ）に示すように、雪６０の塊が防護具１０の山型の雪割り部（１２ａ，１２ｂ）を境に割れ、ビニールハウス本体３０の屋根部の斜面を滑り落ちやすくなる。
【００９１】
防護具１０の主たる素材が鋼板である場合、太陽光やビニールハウス本体３０の内部からの熱供給により、防護具１０の温度が上がって雪６０が融けやすくなり、防護具１０による雪割り効果と、ビニールハウス本体３０の屋根部の斜面からの雪の滑り落ち効果を高めることとなる。特に防護具１０の主たる素材が黒色鋼板である場合、太陽光からの熱供給を受けやすく、防護具１０の温度がより上がりやすい。結果、防護具１０を設置していない場合と比較して、早期に積雪した雪を除去できることとなり、雪の重みによるビニールハウス本体３０倒壊を防ぐことができる。
【００９２】
又、第１の実施形態の第３変形例に係る第１支持台１４ｄ及び第２支持台を用いたビニールハウスにおいては、通常であればビニールハウス本体３０の棟付近に生じやすい、ビニールシート表面の氷塊が生じにくくなる。又、仮にビニールシートと防護具１０とのわずかな隙間に氷塊が生じたとしても、生じた氷塊と雪６０とが接触していないため、図２９（ｂ）に示すような雪６０の滑り落ちがあった際にも、氷塊の滑り落ちによるビニールシートの破損が生じない。ビニールシートの破損部分を起点にビニールシートが大きく裂けてしまったり、雨漏りしたりする等、様々な問題を防ぐことができる。
【００９３】
更に、第１の実施形態の第３変形例に係る第１支持台１４ｄ及び第２支持台を用いたビニールハウスにおいては、図１９（ａ）に示すように、カラスやトンビ等の鳥が防護具１０の上端部の尖った部分に飛来したとしても、くちばしがビニールシート３１まで届かないため、くちばしの突き（つつき）によるビニールシート３１の破損が生じない。ビニールシートの破損部分を起点にビニールシートが大きく裂けてしまったり、雨漏りしたりする等、様々な問題を防ぐことができる。
【００９４】
又、防護具１０の主素材として鋼板を用いた場合、特に黒色鋼板を用いた場合には、鋼板の素材にもよるが、夏期には防護具１０の表面温度が５０〜８０℃と非常に高温となるため、鳥の飛来自体を防ぐ効果を有する。
【００９５】
更に、第１の実施形態の第３変形例に係る第１支持台１４ｄ及び第２支持台、防護具１０は、ビニールハウス本体３０の屋根部の一部分のみに設置されるため、第１の実施形態と同様にビニールハウス本体３０の温室効果を妨げない。特に第１支持台１４ｄ及び第２支持台、防護具１０の主素材として半透明のプラスチック樹脂等を用いた場合には、ビニールハウス本体３０の内部に陰が出来ることがないため、温室効果の妨害はほとんど起こらない。
【００９６】
更に、第３変形例に係る第１支持台１４ｄ及び第２支持台を用いた場合であっても、１支持台１４ｄ及び第２支持台、防護具１０は、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【００９７】
更に、第１の実施形態の第３変形例に係る第１支持台１４ｄ及び第２支持台、防護具１０は、ビニールハウス本体３０を新設する際に特別な手間や時間を生じさせずに設置することができる。又、既設のビニールハウス本体３０のビニールシート張替えの際でも設置を容易に行えるという利点がある。第１の実施形態の第３変形例に係る第１支持台１４ｄ及び第２支持台、防護具１０の設置は、他の特別な設置用機材等を用いることなく、１人から数人程度の工事要員で行うことができる。防護具１０の嵌め込みと逆の工程を踏むことで、防護具１０の取り外しも容易に行うことができる。
【００９８】
更に、第３変形例に係る第１支持台１４ｄ及び第２支持台を用いたビニールハウスにおいては、図１９（ｂ）及び図２０に示すのと同様に、防護具１０を支える第１支持台１４ｄ及び第２支持台がビニールシート３１の下方に位置する。このため、第３変形例に係る第１支持台１４ｄ及び第２支持台を用いた場合でも防護具１０の設置箇所におけるビニールシート３１のたわみが生じにくい。ビニールハウス本体３０の棟付近においてビニールシート３１のたわみが生じにくいので、たわみにおいて生じやすい水たまりやその凍結も生じにくい。
【００９９】
――シート張り工程の第１変形例――
図２１及び図２２に示すように、第１の実施形態に係るシート張り工程の第１変形例においては、ハウス骨組み及び支持台１４ａの一部を覆うように一対のビニールシート３１が固定される。図２１（ａ）においては、支持台１４ａ及びビニールシート３１でハウス骨組みが覆われているので、ビニールシート３１の陰に隠れるハウス骨組みの図示は省略する。一対のビニールシート３１の一方は、支持台１４ａの第１の固定溝２１ａから、ハウス骨組みのアーチ形状を下り、ハウス骨組みの一方の下部まで張られている。又、一対のビニールシート３１の他方は支持台１４ａの第２の固定溝２１ｂから、ハウス骨組みのアーチ形状を下り、ハウス骨組みの他方の下部まで張られている。即ち、支持台１４ａのうち、第１の支持部２２ａ、凹部２０、第２の支持部２２ｂには、一対のビニールシート３１がかかっていない状態である。支持台１４ａの第１の固定溝２１ａ及び第２の固定溝２１ｂには、図示は省略するが押さえ器具が嵌め込まれ、一対のビニールシート３１のそれぞれの上端が固定されている。一対のビニールシート３１は、ハウス骨組みの肩より下方において、他の押さえ器具（下方押さえ器具）によりハウス骨組みに固定されていてもよい。
【０１００】
第１の実施形態のシート張り工程の第１変形例においては、第１の実施形態のシート張り工程と比較して、ビニールシート３１の張り方やサイズのみが異なるのであって、第１の実施形態に係るビニールハウスを構成するその他の部材を同様に用いることが出来る。又、第１の実施形態のシート張り工程の第１変形例を経て、第１の実施形態の防護具１０を設置することができる。第１の実施形態のシート張り工程の第１変形例を経て完成されたビニールハウスは、第１の実施形態に係るビニールハウスと同様の効果を奏する。
【０１０１】
第１の実施形態のシート張り工程の第１変形例においては、一対のビニールシートの一部に破損が生じた際に、一対のビニールシートの両方を全面にわたり交換しなくて済むため、ビニールシートの交換が容易かつ低コストで行えるメリットがある。
【０１０２】
――シート張り工程の第２変形例――
図２３及び図２４に示すように、第１の実施形態に係るシート張り工程の第２変形例においては、ハウス骨組み及び支持台１４ａを覆うようにビニールシート３１が固定される。図２３（ａ）において、ハウス骨組み及び支持台１４ａは、ビニールシート３１に全面を覆われているので、ビニールシート３１の陰に隠れるハウス骨組み及び支持台１４ａの図示は省略する。図２３においては、図１６において確認されるハウス骨組みの棟の方向に平行に設けられた二筋の溝がない。図２３においては、支持台１４ａの第１の固定溝２１ａ及び第２の固定溝２１ｂにビニールシート３１が入れ込まれていない構造である。ビニールシート３１は、ハウス骨組みの肩より下方において、押さえ器具によりハウス骨組みに固定される。
【０１０３】
第１の実施形態のシート張り工程の第２変形例においては、第１の実施形態のシート張り工程と比較して、ビニールシート３１の張り方が異なるのであって、第１の実施形態に係るビニールハウスを構成する部材を同様に用いることが出来る。又、第１の実施形態のシート張り工程の第２変形例を用いて、第１の実施形態の防護具１０を設置することができる。第１の実施形態のシート張り工程の第２変形例を経て完成されたビニールハウスは、第１の実施形態に係るビニールハウスと同様の効果を奏する。第１の実施形態のシート張り工程の第２変形例を用いた場合は、ハウス骨組みの屋根部において、押さえ器具を用いなくても済むため、ビニールシートの固定が容易かつ低コストで行えるメリットがある。
【０１０４】
特に、第１の実施形態のシート張り工程の第２変形例を経て完成させたビニールハウスにおいては、防護具１０を取り外した状態ではビニールハウス本体の表面に溝等の凹凸は無く、通常のビニールハウスと同様の外観を呈する。従って、雪割り効果や防鳥効果が不要となった際には、支持台１４ａを取り外さずに防護具１０を取り外すだけで、通常のビニールハウスと同様に使用することが出来る状態とすることが出来る。
【０１０５】
（第２の実施形態）
図２５に示すように、本発明の第２の実施形態に係るビニールハウスを構成するビニールハウス本体は、それぞれが棟の方向に直交する複数の面内でアーチ状に曲がる同一形状、同一寸法を有し、棟の方向に沿ってそれぞれ配列された複数本のアーチ材３３ａ〜３３ｈと、この複数本のアーチ材３３ａ〜３３ｈのそれぞれと直交し、棟の方向に複数本配列された桁材３５ａ〜３５ｃとを備える。複数本のアーチ材３３ａ〜３３ｈと桁材３５ａ〜３５ｃとでハウス骨組みを構成する。第２の実施形態に係るビニールハウスを構成するビニールハウス本体は、第１の実施形態に係るハウス骨組みと同様のハウス骨組みと、ハウス骨組みを覆うように固定されたビニールシート３１で構成されている。
【０１０６】
図２６に示すように、本発明の第２の実施形態に係るビニールハウスは支持台１４ａを更に有する。図２７及び２８に示すように、支持台１４ａは、長手方向が棟の方向と平行であり、棟の方向と平行に設けられた第１の固定溝２１ａ及び第２の固定溝２１ｂの各底部でビニールシート３１を介してビニールハウス本体の屋根部と接続する。支持台１４ａは、第１の固定溝２１ａ及び第２の固定溝２１ｂにそれぞれ連続する矩形板状の第１の辺縁部２３ａ及び第２の辺縁部２３ｂを有する。
【０１０７】
図２７及び図２８に示すように、第２の実施形態に係るビニールハウスは、防護具１０を更に有する。防護具１０の第１の折り返し部１６ｃを有する第１の鉤爪形状の端部が第１の辺縁部２３ａに直接接し、第２の折り返し部１６ｄを有する第２の鉤爪形状の端部が第２の辺縁部２３ｂに直接接している点が、第１の実施形態に係るビニールハウスと異なる。防護具１０は、第１の実施形態と同様に、中央部に棟の方向に平行に山型の雪割り部（１２ａ，１２ｂ）を有する。
【０１０８】
第２の実施形態に係るビニールハウスのビニールシート３１、支持台１４ａ、防護具１０は、第１の実施形態に係るビニールハウスのビニールシート３１、支持台１４ａ、防護具１０と同様のものであるが組み立ての積層順が異なる。即ち、第２の実施形態においては第１の実施形態における部材と同様の部材を用いるが、各部材間の接続関係や態様が、第１の実施形態に係るビニールハウスとは異なる。
【０１０９】
第２の実施形態に係るビニールハウスでは、ハウス骨組み及びビニールシート３１を用い、図２５に示すビニールハウス本体が構成されるが、ビニールハウス本体は、新設のものでもよいし、既に使用中の既設のものでもよい。特に、第２の実施形態に係るビニールハウスは、既設のビニールハウス本体に支持台１４ａと防護具１０を取り付ける場合に好適である。図２６に示すように、支持台１４ａを、長手方向をビニールハウス本体の棟の方向に対して平行に配置させ、ビニールハウス本体の棟付近に設置する。
【０１１０】
図２８においては、支持台１４ａは、第１の固定溝２１ａ、第２の固定溝２１ｂ及び凹部２０の２つの谷部分の４箇所でビニールハウス本体のビニールシート３１と接続している。支持台１４ａの第１の固定溝２１ａの底部が、ビニールシート３１を挟んで、ビニールハウス本体のアーチ材３３ａ〜３３ｊと間接的に接する部分において、各種固定器具により固定されている。各種固定器具の図示は省略しているが、なべ型ネジやボルト等を用いることができ、固定方法に特に指定はない。
【０１１１】
支持台１４ａの第１の固定溝２１ａの底部とビニールハウス本体のアーチ材３３ａ〜３３ｊが間接的に接する部分すべてで固定してもよいが、必ずしもすべてで固定する必要はなく、例えば１本置きのアーチ材の部分で固定してもよい。第１の固定溝２１ａの底部と同様に、第２の固定溝２１ｂの底部もビニールハウス本体に固定される。凹部２０の２つの谷部分が、ビニールシート３１を挟んで、ビニールハウス本体のアーチ材３３ａ〜３３ｊと間接的に接する部分においては、固定してもよいが固定しなくても良い。固定する場合は、その固定方法に特に指定はない。第２の実施形態に係るビニールハウスでは、支持台１４ａをビニールハウス本体に固定する際は、各種固定器具を通すために、ビニールシート３１に穴を開ける必要がある。ビニールシート３１に開孔する穴は、各種固定器具で直接開けてもよいし、あらかじめ他の器具で開けてから各種固定器具で固定してもよい。ビニールシート３１をハウス骨組みに張る前に、ビニールシート３１に穴を開けてもよい。
【０１１２】
図２７及び図２８に示すように、第２の実施形態に係るビニールハウスでは、防護具１０が、ビニールシート３１を介さずに、支持台１４ａに直接接して固定される。防護具１０の第１及び第２の鉤爪形状である両端部が支持台１４ａの第１の辺縁部２３ａ及び第２の辺縁部２３ｂにそれぞれ嵌め込まれて固定される。防護具１０及び支持台１４ａとで「防護具ユニット」を構成する。
【０１１３】
図２８に示すように、防護具１０の第１の支持台１５ｃは、支持台１４ａの第１の支持部２２ａ及び第１の辺縁部２３ａと直接的に接することになる。第２の支持台１５ｄと第２の支持部２２ｂ及び第２の辺縁部２３ｂとの関係についても同様である。従って、支持台１４ａと防護具１０との間に隙間を生じないようにするためには、もし支持台１４ａの第１の支持部２２ａ及び第１の辺縁部２３ａの各上面が曲面であれば、防護具１０の第１の支持台１５ｃの下面も、同一の曲率を有する曲面であることが好ましく、第２の支持台１５ｄについても同様のことが言える。もし支持台１４ａの第１の支持部２２ａ及び第１の辺縁部２３ａの各上面が平面であれば、防護具１０の第１の支持台１５ｃの下面も平面であることが好ましく、第２の支持台１５ｄについても同様のことが言える。
【０１１４】
防護具１０を支持台１４ａに嵌め込む際は、防護具１０の長手方向をビニールハウス本体の棟の方向と平行にし、第１の鉤爪形状である端部を支持台１４ａの第１の辺縁部２３ａに嵌め込み、第２の鉤爪形状である端部を第２の辺縁部２３ｂに嵌め込む。第２の鉤爪形状である端部の方を先に嵌め込んでもよい。防護具１０の鉤爪形状である端部の嵌め込みの際には、一方の鉤爪形状である端部を嵌め込んだ後に、図９（ｂ）における第１の傾斜板１２ａと第２の傾斜板１２ｂとで内角θ２を、弾性（可撓性）を利用して静止状態より一時的に大きくすれば良い。先に嵌め込んだ方の鉤爪形状である端部を支点として防護具１０を短手方向へ弾性を利用して引っ張り、他方の鉤爪形状である端部を嵌め込む。防護具１０を短手方向に弾性を利用して引っ張り、内角θ２を一時的に広げることは人力で行えるため、防護具１０の支持台１４ａへの嵌め込みも人力で行うことができる。
【０１１５】
第２の実施形態に係るビニールハウスにおいては、第１の実施形態に係るビニールハウスと同様に、図２９（ａ）及び（ｂ）に示すように、防護具１０をビニールハウス本体３０に設置することで、積もった雪６０をビニールハウス本体３０の屋根部から比較的早く、手間もかからずに下に落とすことができる。図２９（ａ）においては、防護具１０を覆い隠す程に積雪した状態であるが、防護具１０の上端部の尖った部分で雪６０の塊に亀裂が入りやすくなり、図２９（ｂ）に示すように、雪６０の塊が防護具１０の山型の雪割り部（１２ａ，１２ｂ）を境に割れ、ビニールハウス本体３０の屋根部の斜面を滑り落ちやすくなる。
【０１１６】
防護具１０の主たる素材が鋼板である場合、太陽光やビニールハウス本体３０の内部からの熱供給により、防護具１０の温度が上がって雪６０が融けやすくなり、防護具１０による雪割り効果と、ビニールハウス本体３０の屋根部の斜面からの雪の滑り落ち効果を高めることとなる。特に防護具１０の主たる素材が黒色鋼板である場合、太陽光からの熱供給を受けやすく、防護具１０の温度がより上がりやすい。結果、防護具１０を設置していない場合と比較して、早期に積雪した雪を除去できることとなり、雪の重みによるビニールハウス本体３０の倒壊を防ぐことができる。
【０１１７】
又、第２の実施形態に係る防護具１０をビニールハウス本体３０に設置することで、通常であればビニールハウス本体３０の棟付近に生じやすい、ビニールシート表面の氷塊が生じにくくなる。又、仮にビニールシートと防護具ユニット（１０、１４ａ）とのわずかな隙間に氷塊が生じたとしても、生じた氷塊と雪６０とが接触していないため、図２９（ｂ）に示すような雪６０の滑り落ちがあった際にも、氷塊の滑り落ちによるビニールシートの破損が生じない。ビニールシートの破損部分を起点にビニールシートが大きく裂けてしまったり、雨漏りしたりする等、様々な問題を防ぐことができる。
【０１１８】
第２の実施形態においては、図３０（ａ）及び（ｂ）に示すように、ビニールシート３１の下方へのたわみが生じることがある。この問題は、図３０（ｃ）に示すような板状のたわみ防止板８５ａ及び８５ｂを平行平板構造として用いることにより解消することが出来る。たわみ防止板８５ａ及び８５ｂは、本発明の「たわみ防止用具」のひとつとしての具体例である。ビニールハウス本体３０の内側から、たわみ防止板８５ａ及び８５ｂを、ビニールシート３１を挟んで、支持台１４ａに固定するのである。固定方法には特に指定は無い。たわみ防止板８５ａ及び８５ｂの側から、ビニールシート３１を挟んで、なべ型ネジやボルト等により、ビニールシート３１に穴を開ける方法により支持台１４ａに固定してもよい。支持台１４ａ及びたわみ防止板８５ａ及び８５ｂが、共に磁性を帯びた素材であれば、磁力の引き合う力を利用して、ビニールシート３１を挟んで、たわみ防止板８５ａ及び８５ｂを支持台１４ａに固定してもよい。これにより、ビニールシート表面の氷塊が更に生じにくくなる。ビニールシート３１のたわみ防止のためには、図３１に示すように、アーチ材３３ｃ〜３３ｅの形状に沿った、たわみ防止板８５ａ及び８５ｂよりもサイズの大きいたわみ防止具８７を用いても良い。たわみ防止具８７も、本発明の「たわみ防止用具」のひとつの例示である。たわみ防止用具として他に、磁性を帯びた素材の支持台１４ａに対して、小型の磁石やマグネットテープを用いることができる。たわみ防止用具は、支持台１４ａに固定され、ビニールシート３１の下方へのたわみを防止できればよく、形状や材質は問わない。
【０１１９】
更に、第２の実施形態に係るビニールハウスを用いると、カラスやトンビ等の鳥が図２７（ａ）の防護具１０の上端部の尖った部分に飛来したとしても、くちばしがビニールシート３１まで届かないため、くちばしの突き（つつき）によるビニールシート３１の破損が生じない。ビニールシートの破損部分を起点にビニールシートが大きく裂けてしまったり、雨漏りしたりする等、様々な問題を防ぐことができる。
【０１２０】
又、防護具１０の主素材として鋼板を用いた場合、特に黒色鋼板を用いた場合には、鋼板の素材にもよるが、夏期には防護具１０の表面温度が５０〜８０℃と非常に高温となるため、鳥の飛来自体を防ぐ効果を有する。
【０１２１】
更に、第２の実施形態に係る防護具１０及び支持台１４ａは、ビニールハウス本体３０の屋根部の一部分のみに設置されるため、ビニールハウス本体３０の温室効果を妨げない。特に防護具１０及び支持台１４ａの主素材として半透明のプラスチック樹脂等を用いた場合には、ビニールハウス本体３０の内部に陰が出来ることがないため、温室効果の妨害はほとんど起こらない。
【０１２２】
更に、第２の実施形態に係る防護具１０及び支持台１４ａは、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【０１２３】
更に、第２の実施形態に係る防護具１０及び防護具ユニット（１０、１４ａ）は、ビニールハウス本体を新設する際に特別な手間や時間を生じさせずに設置することができ、又、既設のビニールハウス本体に対しても設置を容易に行えるという利点がある。防護具１０及び防護具ユニット（１０、１４ａ）の設置は、他の特別な設置用機材等を用いることなく、１人から数人程度の工事要員で行うことができる。防護具１０の嵌め込みと逆の工程を踏むことで、防護具１０の取り外しも容易に行うことができる。
【０１２４】
（第３の実施形態）
図２に示すように、本発明の第３の実施形態に係るビニールハウスは、それぞれが棟の方向に直交する複数の面内でアーチ状に曲がる同一形状、同一寸法を有し、棟の方向に沿ってそれぞれ配列された複数本のアーチ材３３ａ〜３３ｈと、複数本のアーチ材３３ａ〜３３ｈのそれぞれと直交し、複数本のアーチ材３３ａ〜３３ｈとでハウス骨組みを構成するように棟の方向に複数本配列された桁材３５ａ〜３５ｃと、ハウス骨組みを囲み、棟の方向に沿って複数の固定用孔を開孔したビニールシート３１を備える。アーチ材３３ａ〜３３ｈ及び桁材３５ａ〜３５ｃ、ビニールシート３１とで「ビニールハウス本体」を構成する。第３の実施形態に係るビニールハウスを構成するビニールハウス本体は、第１又は第２の実施形態と同様のビニールハウス本体である。第３の実施形態に係るビニールハウスは、ビニールハウス本体の棟の稜線を含むように棟の上に固定された、雪割り部を一体構造として有する防護具ユニット１１を更に有する構造である。
【０１２５】
第３の実施形態に係るビニールハウスを構成するビニールハウス本体のアーチ材３３ａ〜３３ｈ及び桁材３５ａ〜３５ｃ、ビニールシート３１には、第１及び第２の実施形態と同様の素材や形状、サイズ等であるアーチ材及び桁材、ビニールシートを用いることができる。
【０１２６】
図２（ａ）に示す複数本のアーチ材３３ａ〜３３ｈの形状や本数は例示的なものであって、アーチ材は８本未満でも８本以上でもいずれでもよい。図２（ａ）においては、複数本のアーチ材３３ａ〜３３ｈは棟の手前側にしか図示されていないが、奥側にも当然アーチ状構造は続くものとする。
【０１２７】
図１、図２及び図３に示すように、第３の実施形態に係るビニールハウスは、一体構造の防護具ユニット１１をビニールハウス本体の棟の方向に沿って、棟の稜線を挟むように備えている点で、第１及び第２の実施形態に係るビニールハウスとは異なる。防護具ユニット１１は、ビニールハウス本体の棟の稜線を挟むように、棟の形状に適合した凹部を下面とする支持台（１５ａ、１５ｂ）と、この支持台（１５ａ、１５ｂ）の上面がなす稜線に一体構造として接続した長尺板状の雪割り部となる防護具１３を有する。防護具１３は、矩形をなし、矩形の短辺の方向を鉛直方向として、矩形の長辺を支持台（１５ａ、１５ｂ）の上面がなす稜線に一体構造をなすように接続されている。即ち、支持台（１５ａ、１５ｂ）の上面に棟の方向に延在する稜線が定義されるが、片屋根式のビニールハウス本体の場合は、支持台（１５ａ、１５ｂ）の上面の中央の位置に稜線が定義されるわけではなく、非対称に稜線の位置が定義される。
【０１２８】
支持台（１５ａ、１５ｂ）の下面がなす凹部は、棟の外形に適合した形状である必要があり、丸型のビニールハウス本体の場合は、棟の稜線を母線として含むビニールハウス本体の屋根部の曲率に適合した曲面を有することが好ましい。又、棟の稜線を母線として含むビニールハウス本体の屋根部の曲面に対する２つの接平面がなす角度に対応する内角θ１を有するように、支持台（１５ａ、１５ｂ）の下面に凹部を設けてもよいが、この場合は、幾何学上、支持台（１５ａ、１５ｂ）の下面とビニールハウス本体の屋根部の間に小さな空間（隙間）が発生することに留意が必要である。
【０１２９】
一方、屋根型のビニールハウス本体の場合は、切り妻型に交わる２つの平面（天井面）がなす角度に、支持台（１５ａ、１５ｂ）の下面の内角θ１を調整して、支持台（１５ａ、１５ｂ）の下面がなす凹部の形状を、ビニールハウス本体の棟の外形に適合した形状にすればよい。即ち、第３の実施形態に係るビニールハウスを構成するビニールハウス本体は、ビニールハウス本体に載置された支持台（１５ａ、１５ｂ）を、ビニールハウス本体の棟に固定するため、ビニールシート３１には、予め複数の固定用孔が設けられている。即ち、第３の実施形態に係るビニールハウスは、防護具ユニット１１を複数本のアーチ材３３ａ〜３３ｈのそれぞれにビニールシート３１を挟んで固定する複数の固定具（４１ａ、４１ｂ、４３、４５ａ、４５ｂ）を更に備える。
【０１３０】
図１（ａ）及び（ｂ）等に示すように、第３の実施形態に係る防護具ユニット１１の支持台（１５ａ、１５ｂ）は、への字型構造を呈する。支持台（１５ａ、１５ｂ）は第１の固定板１５ａ及び第２の固定板１５ｂから成る。第１の固定板１５ａは矩形の板状部材であり、防護具１３の下端部と長辺どうしで接続し、図１（ｂ）で示すように、防護具１３の長手方向から見た場合には、雪割り部となる防護具１３と第１の固定板１５ａとが成す角度は鈍角となる。第２の固定板１５ｂも第１の固定板１５ａと同様に防護具１３と接続し、図１（ａ）及び（ｂ）等に示すように、防護具１３の短手方向が属する面に関して第１の固定板１５ａと互いに鏡像関係となる。雪割り部の短手方向が属する面を対称面とすると、第１の固定板１５ａ及び第２の固定板１５ｂは面対称の関係である。
【０１３１】
図１（ｂ）に示す内角θ１は、支持台を構成する第１の固定板１５ａ及び第２の固定板１５ｂが成す角度である。支持台（１５ａ、１５ｂ）は、ビニールハウス本体に設置された際には、上面の中央において、棟の方向に延在する稜線を定義する。
【０１３２】
図１（ａ）及び（ｂ）に示すように、鉛直方向（垂直方向）に短手方向を配置した矩形の長尺板状である防護具１３は、その下端部側の長辺を支持台（１５ａ、１５ｂ）により定義された稜線に接続した構造である。図１（ａ）及び（ｂ）等においては、防護具１３は下端部から上端部へ向かうに従って、刃物状に尖った形状である。防護具１３の尖った上端部から第１の固定板１５ａ及び第２の固定板１５ｂに続く傾斜面は、平面であっても、凸型又は凹型の曲面であってもいずれでもよい。
【０１３３】
防護具ユニット１１は、防護具１３及び第１の固定板１５ａ、第２の固定板１５ｂのそれぞれ独立した部材を接続させて製造してもよいし、一体とした構造の第１の固定板１５ａ及び第２の固定板１５ｂに、後から防護具１３を接続させて製造してもよい。又、防護具１３及び第１の固定板１５ａ、第２の固定板１５ｂを元から一体となった一つの構造体として製造してもよい。
【０１３４】
雪割り部として機能する防護具１３は、矩形の板状部材２枚を組み合わせた構造でも良い。この場合は、上端部が尖った構造となるように、２枚の板状部材を上端部で接続し、各板状部材の下端部を第１の固定板１５ａ及び第２の固定板１５ｂにそれぞれ接続する。防護具１３の矩形の板状部材２枚の間には空間が生じることとなる。
【０１３５】
防護具１３は、鋼板やプラスチック等、板状に加工できるものであればいずれでも素材として用いることができる。扱いやすさやコストの面で、鋼板や合成樹脂プレートを用いることが好ましい。鋼板としては、表面処理は必須ではないが、屋外で使用するため、耐食性を高める塗料等を焼き付けたものやメッキを施したものの方がより好ましい。塗料としてより好ましくは、太陽光による温度上昇の観点から、黒色の塗料である。塗料の種類はポリエステル樹脂系やフッ素樹脂系等があるが、いずれでもよい。鋼板の炭素含量割合は、通常鋼板として用いられる程度である０．０４〜２％程度であればいずれでもよい。
【０１３６】
合成樹脂プレートとしては、メラミン樹脂や尿素樹脂等の熱硬化性樹脂、ポリプロピレン樹脂やポリスチレン樹脂、ABS樹脂、AS樹脂、アクリル樹脂等の熱可塑性樹脂、ポリカーボネートやガラス繊維強化プラスチック（GFRP）、炭素繊維強化プラスチック（CFRP）等の強化プラスチック等、いずれでも用いることができる。特に耐候性や耐食性の観点から、アクリル樹脂や強化プラスチック系の樹脂が好ましい。又、ビニールハウス本体内への太陽光確保の観点からは、透明又は半透明であるアクリル樹脂や尿素樹脂が望ましい。支持台を構成する第１の固定板１５ａ及び第２の固定板１５ｂにおいても、防護具１３と同様の考え方で、種々の素材選択をすることができる。
【０１３７】
防護具１３の短辺（高さ）は１０〜３０ｃｍ程度、支持台を構成する第１の固定板１５ａ及び第２の固定板１５ｂの短辺も１０〜３０ｃｍ程度に、自由に調整して製造することができる。防護具１３の下端部の厚さは、０．５〜３ｃｍ程度と様々に設定することができる。防護具１３を２枚の矩形の板状部材から製造する場合は、下端部の厚さは１０ｃｍを超える程度までにも設定することができる。第１の固定板１５ａ及び第２の固定板１５ｂの厚さは、例えば０．５〜２０ｍｍ程度と、素材の強度やサイズに応じて様々に設定することができる。第１の固定板１５ａ及び第２の固定板１５ｂは、ビニールハウス本体に直接接する部分であるので、ハウス骨組みやビニールシートに負荷をかけないよう、出来るだけ薄い素材が好ましい。
【０１３８】
防護具ユニット１１の長辺は、使用するビニールハウス本体のサイズに応じて適宜調整して製造することができる。一方で、あらかじめ一定の長辺で製造しておいた防護具ユニット１１の設置個数を、使用するビニールハウス本体のサイズに応じて増減することも可能である。
【０１３９】
図１に示すように、第１の固定板１５ａには貫通孔Ｐ１〜Ｐ８及びＱ１〜Ｑ８が設けられている。第２の固定板１５ｂでも同様に、図示は大部分省略しているが、貫通孔Ｒ１をはじめ、複数の貫通孔が設けられている。貫通孔Ｐ１〜Ｐ８及びＱ１〜Ｑ８、Ｒ１の大きさは用いるボルト等の種類により、様々に設定することができる。貫通孔Ｐ１〜Ｐ８及びＱ１〜Ｑ８、Ｒ１はビニールシートの固定用孔に対応する位置に開孔される。
【０１４０】
図２（ｂ）及び図３に示すように、第３の実施形態に係る防護具ユニット１１は、ビニールハウス本体の棟において、複数の固定具を用いて固定されている。複数の固定具は、図２（ｂ）及び図３においては、第１の固定部１５ａを貫通する貫通孔Ｐ４及びＱ４（図１（ａ）及び（ｃ）に図示）に通されたボルト４１ａ及び４１ｂ、ナット４５ａ及び４５ｂ、Ｕ字金具４３である。ボルト４１ａ及び４１ｂは、ビニールシート３１に設けられた固定用孔、Ｕ字金具４３の穴にも通され、上から順に第１の固定部１５ａ、ビニールシート３１、Ｕ字金具４３を挟むようにして、ナット４５ａ及び４５ｂにより固定される。
【０１４１】
ビニールシート３１に設けられた固定用孔の周りには、ワッシャ状の裏打ちを、表面若しくは裏面、又は両面に貼り付けて、固定用孔の開孔部分のビニールシート３１の機械的強度を高め、固定用孔の開孔部分から切れ目、裂け目が発生するのを防止するのが好ましい。
【０１４２】
ボルト４１ａ及び４１ｂの箇所からの水漏れ、雨漏れ或いは空気の流出／流入を防止するためには、ボルト４１ａ及び４１ｂと第１の固定部１５ａの間に防水ワッシャや防水シール座金を挟めば良い。防水ワッシャとボルト４１ａ及び４１ｂの間に更に平座金を挟んでも良い。繊維状の材質のワッシャに防水接着剤やコーティング剤を含ませたケミカルタイプの防水ワッシャ等でも構わない。更にビニールシート３１と第１の固定部１５ａとの間に帯状の防水材を挟ませて、ボルト４１ａ及び４１ｂの箇所からの水漏れ防止、雨漏れ防止或いは空気の流出／流入防止の性能を高めるようにしてもよい。
【０１４３】
Ｕ字金具４３のＵ字部分にはアーチ材３３ｄが嵌められ、ボルト４１ａ及び４１ｂはアーチ材３３ｄを挟んで向かい合うように位置することになる。アーチ材３３ｄでの固定部分を例に説明したが、アーチ材３３ａ〜３３ｃ及び３３ｅ〜３３ｈでの固定部分においても同様の機構で第１の固定部１５ａがビニールハウス本体へ固定される。図示を省略したが、第２の固定部１５ｂの固定についても同様である。
【０１４４】
第３の実施形態に係る防護具ユニット１１をビニールハウス本体に固定するボルト４１ａ及び４１ｂ、ナット４５ａ及び４５ｂについては、素材や大きさは問わない。防護具ユニット１１をビニールハウス本体に固定するＵ字金具４３については、金属製や樹脂製等を問わず、又、大きさはパイプの太さにより任意に選択することができる。Ｕ字金具４３は通常サドルバンドと呼ばれているもの等を使用することができる。
【０１４５】
第３の実施形態に係る防護具ユニット１１のビニールハウス本体への固定の仕方については、既設のビニールハウス本体のアーチ材の間隔に合わせて第１の固定部１５ａ及び第２の固定部１５ｂの貫通孔を開け、固定することができる。既設のビニールハウス本体のビニールシートに後から固定用孔を開孔し、防護具ユニット１１を固定することも可能である。防護具ユニット１１をビニールハウス本体に固定する際に、図３に表れていない器具を追加して固定してもよい。
【０１４６】
第３の実施形態に係る防護具ユニット１１においては、図４に示すように、ビニールハウス本体に設置することで、積もった雪６０をビニールハウス本体の屋根部から比較的早く、手間もかからずに下に落とすことができる。図４（ａ）においては、防護具ユニット１１を覆い隠す程に積雪した状態であるが、防護具ユニット１１の上端部の尖った部分で雪６０の塊に亀裂が入りやすくなり、図４（ｂ）に示すように、雪６０の塊が防護具ユニット１１を境に割れ、ビニールハウス本体の屋根部の斜面を滑り落ちやすくなる。
【０１４７】
第３の実施形態に係る防護具ユニット１１の主たる素材が鋼板である場合、太陽光やビニールハウス本体３０の内部からの熱供給により、防護具ユニット１１の温度が上がって雪６０が融けやすくなり、防護具ユニット１１による雪割り効果と、ビニールハウス本体３０の屋根部の斜面からの雪の滑り落ち効果を高めることとなる。特に防護具ユニット１１の主たる素材が黒色鋼板である場合、太陽光からの熱供給を受けやすく、防護具ユニット１１の温度がより上がりやすい。結果、防護具ユニット１１を設置していない場合と比較して、早期に積雪した雪を除去できることとなり、雪の重みによるビニールハウス本体３０の倒壊を防ぐことができる。
【０１４８】
又、第３の実施形態に係る防護具ユニット１１をビニールハウス本体３０に設置することで、通常であればビニールハウス本体３０の棟付近に生じやすい、ビニールシート表面の氷塊が生じにくくなる。又、仮にビニールシートと防護具ユニット１１とのわずかな隙間に氷塊が生じたとしても、生じた氷塊と雪６０とが接触していないため、図４（ｂ）に示すような雪６０の滑り落ちがあった際にも、氷塊の滑り落ちによるビニールシートの破損が生じない。ビニールシートの破損部分を起点にビニールシートが大きく裂けてしまったり、雨漏りしたりする等、様々な問題を防ぐことができる。
【０１４９】
更に、第３の実施形態に係る防護具ユニット１１を用いると、図２に示すように、カラスやトンビ等の鳥が上端部の尖った部分に飛来したとしても、くちばしがビニールシート３１まで届かないため、くちばしの突き（つつき）によるビニールシート３１の破損が生じない。ビニールシートの破損部分を起点にビニールシートが大きく裂けてしまったり、雨漏りしたりする等、様々な問題を防ぐことができる。
【０１５０】
図５に示すように、防鳥糸７５ａ及び７５ｂを用いるとより鳥害防止効果が増す。第３の実施形態に係る防護具ユニット１１の長手方向の一方の末端の尖った部分等に防鳥糸７５ａ及び７５ｂのそれぞれの一方の端部を固定し、防鳥糸７５ａ及び７５ｂのそれぞれの他方の端部を、ビニールハウス本体３０の縁の肩部分に設置した防鳥糸固定棒７１及び７３にそれぞれ固定する。ビニールハウス本体３０の長手方向の両端のアーチ材の上には鳥が留まりやすいことが知られており、防鳥糸７５ａ及び７５ｂが張られていることで鳥の飛来をより効果的に防ぐのである。又、防護具ユニット１１の主素材として鋼板を用いた場合、特に黒色鋼板を用いた場合には、鋼板の素材にもよるが、夏期には防護具ユニット１１の表面温度が５０〜８０℃と非常に高温となるため、鳥の飛来自体を防ぐ効果も有する。
【０１５１】
更に、第３の実施形態に係る防護具ユニット１１は、ビニールハウス本体３０の屋根部の一部分のみに設置されるため、ビニールハウス本体３０の温室効果を妨げない。特に防護具ユニット１１の主素材として半透明のプラスチック樹脂等を用いた場合には、ビニールハウス本体３０の内部に陰が出来ることがないため、温室効果の妨害はほとんど起こらない。
【０１５２】
更に、第３の実施形態に係る防護具ユニット１１は、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【０１５３】
第３の実施形態に係るビニールハウスにおいて、防護具ユニット１１は、ビニールハウス本体３０を新設する際に特別な手間や時間を生じさせずに設置することができる。又、既設のビニールハウス本体３０のビニールシート張替えの際でも設置を容易に行えるという利点がある。更に、防護具ユニット１１の設置は、他の特別な設置用機材等を用いることなく、１人から数人程度の工事要員で行うことができる。
【０１５４】
（第３の実施形態の第１変形例）
図６に示すように、第３の実施形態の第１変形例に係る防護具ユニット１１ａは、ビニールハウス本体の棟の稜線を挟むように、棟の形状に適合した凹部を下面とする支持台（１５ａ、１５ｂ）と、この支持台（１５ａ、１５ｂ）に一体構造として接続した長尺板状の防護具１３ａを有する。防護具１３ａは、支持台（１５ａ、１５ｂ）の下面に対向する上面の形状がなす上面の稜線に沿って、支持台（１５ａ、１５ｂ）の上面に雪割り部として接続されている。
【０１５５】
防護具ユニット１１ａと第３の実施形態に係る防護具ユニット１１との構造上の相違点は、図６における鉛直方向（垂直方向）に短手方向を配置した防護具１３ａの形状である。防護具１３ａの板状形状は、上端部から下端部まで厚さが一定である。支持台を構成する第１の固定板１５ａ及び第２の固定板１５ｂには構造上の相違点はない。防護具１３ａ及び第１の固定板１５ａ、第２の固定板１５ｂの素材は、図１（ａ）及び（ｂ）等に示す第３の実施形態に係る防護具ユニット１１と同様のものを用いることが出来る。
【０１５６】
図６における防護具１３ａの短辺（高さ）は１０〜３０ｃｍ程度、第１の固定板１５ａ及び第２の固定板１５ｂの短辺も１０〜３０ｃｍ程度に、自由に調整して製造することができる。防護具１３ａ及び第１の固定板１５ａ、第２の固定板１５ｂの厚さは、例えば０．５〜２０ｍｍ程度と、素材の強度やサイズに応じて様々に設定することができる。第１の固定板１５ａ及び第２の固定板１５ｂは、ビニールハウス本体に直接接する部分であるので、ハウス骨組みやビニールシートに負荷をかけないよう、出来るだけ薄い素材が好ましい。
【０１５７】
第３の実施形態の第１変形例に係る防護具ユニット１１ａのビニールハウス本体への設置は、第３の実施形態に係る防護具ユニット１１と同様に行うことができ、そのビニールハウス本体の構造は、防護具ユニット１１が設置できるビニールハウス本体の構造と何ら変わるところはない。ビニールハウス本体への設置の際の固定具についても、防護具ユニット１１の設置の際の固定具と何ら変わるところはない。
【０１５８】
第３の実施形態の第１変形例に係る防護具ユニット１１ａにおいては、第３の実施形態に係る防護具ユニット１１と同様の仕組みで、防護具ユニット１１ａを設置していない場合と比較して、早期にビニールハウス本体に積雪した雪を除去でき、雪の重みによるビニールハウス本体の倒壊を防ぐことができる。
【０１５９】
又、第３の実施形態の第１変形例に係る防護具ユニット１１ａにより、第３の実施形態に係る防護具ユニット１１と同様の仕組みで、ビニールハウス本体のビニールシート表面の氷塊が生じにくくなる。又、仮にビニールシートと防護具ユニット１１ａとの隙間に氷塊が生じたとしても、生じた氷塊と雪とが接触していないため、氷塊の滑り落ちによるビニールシートの破損が生じない。ビニールシートの破損部分を起点にビニールシートが大きく裂けてしまったり、雨漏りしたりする等、様々な問題を防ぐことができる。
【０１６０】
更に、第３の実施形態の第１変形例に係る防護具ユニット１１ａを用いると、第３の実施形態に係る防護具ユニット１１と同様の仕組みで、カラスやトンビ等の鳥が上端部に飛来したとしても、くちばしがビニールシートまで届かないため、くちばしの突き（つつき）によるビニールシートの破損が生じない。ビニールシートの破損部分を起点にビニールシートが大きく裂けてしまったり、雨漏りしたりする等、様々な問題を防ぐことができる。又、防護具ユニット１１ａの主素材として鋼板を用いた場合、特に黒色鋼板を用いた場合には、素材にもよるが、夏期には防護具ユニット１１ａの表面温度が５０〜８０℃と非常に高温となるため、鳥の飛来自体を防ぐ効果も有する。
【０１６１】
更に、第３の実施形態の第１変形例に係る防護具ユニット１１ａは、第３の実施形態に係る防護具ユニット１１と同様の仕組みで、ビニールハウス本体の屋根部の一部分のみに設置されるため、ビニールハウス本体の温室効果を妨げない。特に防護具ユニット１１ａの主素材として半透明のプラスチック樹脂等を用いた場合には、ビニールハウス本体の内部に陰が出来ることがないため、温室効果の妨害はほとんど起こらない。
【０１６２】
更に、第３の実施形態の第１変形例に係る防護具ユニット１１ａは、第３の実施形態に係る防護具ユニット１１と同様の仕組みで、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【０１６３】
第３の実施形態の第１変形例に係るビニールハウスにおいて、防護具ユニット１１ａは、ビニールハウス本体を新設する際に特別な手間や時間を生じさせずに設置することができる。又、既設のビニールハウス本体のビニールシート張替えの際でも設置を容易に行えるという利点がある。更に、防護具ユニット１１ａの設置は、他の特別な設置用機材等を用いることなく、１人から数人程度の工事要員で行うことができる。
【０１６４】
（第３の実施形態の第２変形例）
図７に示すように、第３の実施形態の第２変形例に係る防護具ユニット１１ｂは、ビニールハウス本体の棟の稜線を挟むように、棟の形状に適合した凹部を下面とする支持台（１５ａ、１５ｂ）と、この支持台（１５ａ、１５ｂ）に一体構造として接続した長尺板状の防護具１３ａを有する。防護具１３ａは、支持台（１５ａ、１５ｂ）の下面に対向する上面の形状がなす上面の稜線に沿って、支持台（１５ａ、１５ｂ）の上面に雪割り部として接続されている。
【０１６５】
図１（ａ）及び（ｂ）等に示す第３の実施形態に係る防護具ユニット１１との構造上の相違点は、図７における鉛直方向（垂直方向）に短手方向を配置した防護具１３ａの形状と、その防護具１３ａの長手方向と平行に、防護具１３ａの上部に設けられた棒状の回転体８１である。第３の実施形態の第２変形例に係る防護具ユニット１１ｂの防護具１３ａは、図６における第３の実施形態の第１変形例に係る防護具ユニット１１ａと同様、上端部から下端部まで厚さが一定である。支持台を構成する第１の固定板１５ａ及び第２の固定板１５ｂには構造上の相違点はない。防護具１３ａ及び第１の固定板１５ａ、第２の固定板１５ｂの素材は、図１（ａ）及び（ｂ）等に示す第３の実施形態に係る防護具ユニット１１と同様のものを用いることが出来る。防護具１３ａ及び第１の固定板１５ａ、第２の固定板１５ｂのサイズは、第３の実施形態の第１変形例に係る防護具ユニット１１ａと同様に設定することができる。
【０１６６】
第３の実施形態の第２変形例に係る防護具ユニット１１ｂの回転体８１は、図７の矢印方向に回転することができる棒状部材である。回転体８１の防護具１３ａへの固定は、例えば、回転体８１自体は防護具１３ａとは直接接することなく、回転体８１の長軸方向に沿って中心に軸が設けられており、その軸を防護具１３ａへ固定する等の方法により行う。回転については、図７の矢印方向と逆方向にも行うことができてもよい。回転体８１の回転方法については、図示は省略するが、回転体８１の端部に、回転体８１を回転させる機構を接続させて回転させる。例えば、ビニールハウスのビニールシートの巻き上げ機のような、手動で操作可能な器具が相当するが、手動でなく自動で回転させる機構であってもよい。回転体８１の表面には輪状やらせん状に溝が設けられていてもよく、又、輪状やらせん状に突起が設けられていてもよい。
【０１６７】
第３の実施形態の第２変形例に係る防護具ユニット１１ｂのビニールハウス本体への設置は、第３の実施形態に係る防護具ユニット１１と同様に行うことができ、そのビニールハウス本体の構造は、防護具ユニット１１が設置できるビニールハウス本体の構造と何ら変わるところはない。ビニールハウス本体への設置の際の固定具についても、防護具ユニット１１の設置の際の固定具と何ら変わるところはない。
【０１６８】
第３の実施形態の第２変形例に係る防護具ユニット１１ｂにおいては、第３の実施形態に係る防護具ユニット１１と同様の仕組みで、防護具ユニット１１ｂを設置していない場合と比較して、早期にビニールハウス本体に積雪した雪を除去でき、雪の重みによるビニールハウス本体の倒壊を防ぐことができる。更に、第３の実施形態の第２変形例に係る防護具ユニット１１ｂにおいては、回転体８１の回転が防護具ユニット１１ｂの上方に積雪した雪に亀裂を入れるきっかけとなり、回転体８１を設置していない場合と比較し、早期に雪割りと雪の滑り落ちを実現することができる。特に回転体８１に溝や突起が設けられている場合は、更に雪割りと雪の滑り落ちの効果が高まる。
【０１６９】
又、第３の実施形態の第２変形例に係る防護具ユニット１１ｂにより、第３の実施形態に係る防護具ユニット１１と同様の仕組みで、ビニールハウス本体のビニールシート表面の氷塊が生じにくくなる。又、仮にビニールシートと防護具ユニット１１ｂとの隙間に氷塊が生じたとしても、生じた氷塊と雪とが接触していないため、氷塊の滑り落ちによるビニールシートの破損が生じない。ビニールシートの破損部分を起点にビニールシートが大きく裂けてしまったり、雨漏りしたりする等、様々な問題を防ぐことができる。
【０１７０】
更に、第３の実施形態の第２変形例に係る防護具ユニット１１ｂを用いると、第３の実施形態に係る防護具ユニット１１と同様の仕組みで、カラスやトンビ等の鳥が上端部に飛来したとしても、くちばしがビニールシートまで届かないため、くちばしの突き（つつき）によるビニールシートの破損が生じない。ビニールシートの破損部分を起点にビニールシートが大きく裂けてしまったり、雨漏りしたりする等、様々な問題を防ぐことができる。又、防護具ユニット１１ｂの主素材として鋼板を用いた場合、特に黒色鋼板を用いた場合には、素材にもよるが、夏期には防護具ユニット１１ｂの表面温度が５０〜８０℃と非常に高温となるため、鳥の飛来自体を防ぐ効果も有する。
【０１７１】
更に、第３の実施形態の第２変形例に係る防護具ユニット１１ｂは、第３の実施形態に係る防護具ユニット１１と同様の仕組みで、ビニールハウス本体の屋根部の一部分のみに設置されるため、ビニールハウス本体の温室効果を妨げない。特に防護具ユニット１１ｂの主素材として半透明のプラスチック樹脂等を用いた場合には、ビニールハウス本体の内部に陰が出来ることがないため、温室効果の妨害はほとんど起こらない。
【０１７２】
更に、第３の実施形態の第２変形例に係る防護具ユニット１１ｂは、第３の実施形態に係る防護具ユニット１１と同様の仕組みで、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【０１７３】
第３の実施形態の第２変形例に係るビニールハウスにおいて、防護具ユニット１１ｂは、ビニールハウス本体を新設する際に特別な手間や時間を生じさせずに設置することができる。又、既設のビニールハウス本体のビニールシート張替えの際でも設置を容易に行えるという利点がある。更に、防護具ユニット１１ｂの設置は、他の特別な設置用機材等を用いることなく、１人から数人程度の工事要員で行うことができる。
【０１７４】
（第３の実施形態の第３変形例）
図８に示すように、第３の実施形態の第３変形例に係る防護具ユニット１１ｃは、ビニールハウス本体の棟の稜線を挟むように、棟の形状に適合した凹部を下面とする支持台（１７ａ〜１７ｆ、１９ａ〜１９ｆ）と、この支持台（１７ａ〜１７ｆ、１９ａ〜１９ｆ）に一体構造として接続した長尺板状の防護具１３ａを有する。防護具１３ａは、支持台（１７ａ〜１７ｆ、１９ａ〜１９ｆ）の下面に対向する上面の形状がなす上面の稜線に沿って、支持台（１７ａ〜１７ｆ、１９ａ〜１９ｆ）の上面に雪割り部として接続されている。
【０１７５】
図１（ａ）及び（ｂ）等に示す第３の実施形態に係る防護具ユニット１１との構造上の相違点は、図８における鉛直方向（垂直方向）に短手方向を配置した防護具１３ａの形状と、支持台を構成する第１の櫛歯状固定板（１７ａ〜１７ｆ）及び第２の櫛歯状固定板（１９ａ〜１９ｆ）の構成である。第３の実施形態の第３変形例に係る防護具ユニット１１ｃの防護具１３ａは、図６における第１変形例に係る防護具ユニット１１ａと同様、上端部から下端部までの厚さが一定である。第１の櫛歯状固定板（１７ａ〜１７ｆ）及び第２の櫛歯状固定板（１９ａ〜１９ｆ）は、図８に示す通り、それぞれ複数の櫛歯片１７ａ〜１７ｆ及び１９ａ〜１９ｆから成り、防護具１３ａの下端部に櫛背を接続した構造である。
【０１７６】
複数の櫛歯片１７ａ〜１７ｆ及び１９ａ〜１９ｆは、防護具１３ａの短手方向が属する面に関して互いに鏡像関係となる。複数の櫛歯片１７ａ〜１７ｆ及び１９ａ〜１９ｆは、それぞれビニールシートの複数の固定用孔に対応する位置に貫通孔を有し、この貫通孔によりビニールハウス本体に固定できる仕組みである。第３の実施形態の第３変形例に係る防護具ユニット１１ｃのビニールハウス本体への設置は、第３の実施形態に係る防護具ユニット１１と同様に行うことができ、そのビニールハウス本体の構造は、防護具ユニット１１が設置できるビニールハウス本体の構造と何ら変わるところはない。ビニールハウス本体への設置の際の固定具についても、防護具ユニット１１の設置の際の固定具と何ら変わるところはない。
【０１７７】
防護具１３ａ及び第１の櫛歯状固定板（１７ａ〜１７ｆ）、第２の櫛歯状固定板（１９ａ〜１９ｆ）の素材は、図１（ａ）及び（ｂ）等に示す第３の実施形態に係る防護具ユニット１１と同様のものを用いることが出来る。
【０１７８】
図８における防護具１３ａの短辺（高さ）は１０〜３０ｃｍ程度、第１の櫛歯状固定板（１７ａ〜１７ｆ）及び第２の櫛歯状固定板（１９ａ〜１９ｆ）の各短辺も１０〜３０ｃｍ程度に、自由に調整して製造することができる。防護具１３ａ及び第１の櫛歯状固定板（１７ａ〜１７ｆ）、第２の櫛歯状固定板（１９ａ〜１９ｆ）の厚さは、例えば０．５〜２０ｍｍ程度と、素材の強度やサイズに応じて様々に設定することができる。第１の櫛歯状固定板（１７ａ〜１７ｆ）及び第２の櫛歯状固定板（１９ａ〜１９ｆ）は、ビニールハウス本体に直接接する部分であるので、ハウス骨組みやビニールシートに負荷をかけないよう、出来るだけ薄い素材が好ましい。
【０１７９】
第３の実施形態の第３変形例に係る防護具ユニット１１ｃにおいては、第３の実施形態に係る防護具ユニット１１と同様の仕組みで、防護具ユニット１１ｃを設置していない場合と比較して、早期にビニールハウス本体に積雪した雪を除去でき、雪の重みによるビニールハウス本体の倒壊を防ぐことができる。
【０１８０】
又、第３の実施形態の第３変形例に係る防護具ユニット１１ｃにより、第３の実施形態に係る防護具ユニット１１と同様の仕組みで、ビニールハウス本体のビニールシート表面の氷塊が生じにくくなる。又、仮にビニールシートと防護具ユニット１１ｃとの隙間に氷塊が生じたとしても、生じた氷塊と雪とが接触していないため、氷塊の滑り落ちによるビニールシートの破損が生じない。ビニールシートの破損部分を起点にビニールシートが大きく裂けてしまったり、雨漏りしたりする等、様々な問題を防ぐことができる。
【０１８１】
更に、第３の実施形態の第３変形例に係る防護具ユニット１１ｃを用いると、第３の実施形態に係る防護具ユニット１１と同様の仕組みで、カラスやトンビ等の鳥が上端部に飛来したとしても、くちばしがビニールシートまで届かないため、くちばしの突き（つつき）によるビニールシートの破損が生じない。ビニールシートの破損部分を起点にビニールシートが大きく裂けてしまったり、雨漏りしたりする等、様々な問題を防ぐことができる。又、防護具ユニット１１ｃの主素材として鋼板を用いた場合、特に黒色鋼板を用いた場合には、素材にもよるが、夏期には防護具ユニット１１ｃの表面温度が５０〜８０℃と非常に高温となるため、鳥の飛来自体を防ぐ効果も有する。
【０１８２】
更に、第３の実施形態の第３変形例に係る防護具ユニット１１ｃは、第３の実施形態に係る防護具ユニット１１と同様の仕組みで、ビニールハウス本体の屋根部の一部分のみに設置されるため、ビニールハウス本体の温室効果を妨げない。第３の実施形態の第３変形例に係る防護具ユニット１１ｃは、第３の実施形態に係る防護具ユニット１１より、第１の櫛歯状固定板（１７ａ〜１７ｆ）及び第２の櫛歯状固定板（１９ａ〜１９ｆ）でビニールハウス本体を覆う面積が少ないため、温室効果をより高く保つことができる。特に防護具ユニット１１ｃの主素材として半透明のプラスチック樹脂等を用いた場合には、ビニールハウス本体の内部に陰が出来ることがないため、温室効果の妨害はほとんど起こらない。
【０１８３】
更に、第３の実施形態の第３変形例に係る防護具ユニット１１ｃは、第３の実施形態に係る防護具ユニット１１と同様の仕組みで、冬期は雪の重みに耐えることができ、冬期以外でも温室効果の妨げとならずに使用できることから、季節ごとに着脱する手間が生じない。積雪対策用器具と鳥害対策用器具とを併用する手間も生じない。
【０１８４】
第３の実施形態の第３変形例に係るビニールハウスにおいて、防護具ユニット１１ｃは、ビニールハウス本体を新設する際に特別な手間や時間を生じさせずに設置することができる。又、既設のビニールハウス本体のビニールシート張替えの際でも設置を容易に行えるという利点がある。更に、防護具ユニット１１ｃの設置は、他の特別な設置用機材等を用いることなく、１人から数人程度の工事要員で行うことができる。
【０１８５】
（その他の実施形態）
上記のように、本発明は第１〜第３の実施形態及びそれらの変形例等によって記載したが、この開示の一部をなす論述及び図面は本発明を限定するものであると理解すべきではない。この開示から当業者には様々な代替本発明の実施形態、実施例及び運用技術が明らかとなろう。
【０１８６】
又、本発明の第１〜第３の実施形態及びそれらの変形例等で説明したそれぞれの技術的思想の一部を適宜、互いに組み合わせることも可能である。このように、本発明はここでは記載していない様々な実施形態等を含むことは勿論である。したがって、本発明の技術的範囲は上記の説明から妥当と解釈しうる、特許請求の範囲に係る発明特定事項によってのみ定められるものである。
【符号の説明】
【０１８７】
１０、１３、１３ａ…防護具、１１、１１ａ、１１ｂ、１１ｃ…防護具ユニット、１２ａ…第１の傾斜板、１２ｂ…第２の傾斜板、１４ａ、１４ｂ、１４ｃ、１４ｄ…支持台、１５ａ…第１の固定板、１５ｂ…第２の固定板、１５ｃ…第１の支持台、１５ｄ…第２の支持台、１６ｃ…第１の折り返し部、１６ｄ…第２の折り返し部、１７ａ〜１７ｆ、１９ａ〜１９ｆ…櫛歯片、１８ｃ…縁留め部、２０…凹部、２１ａ…第１の固定溝、２１ｂ…第２の固定溝、２２ａ…第１の支持部、２２ｂ…第２の支持部、２２ｃ、２２ｄ…支持部、２３ａ…第１の辺縁部、２３ｂ…第２の辺縁部、３０…ビニールハウス本体、３１…ビニールシート、３３ａ〜３３ｊ…アーチ材、３５ａ〜３５ｃ…桁材、４１ａ、４１ｂ…ボルト、４３…Ｕ字金具、４５ａ、４５ｂ…ナット、６０…雪、７１、７３…防鳥糸固定棒、７５ａ、７５ｂ…防鳥糸、８１…回転体、８３…押さえ器具、８５ａ、８５ｂ…たわみ防止板、８７…たわみ防止具、Ｐ１〜８、Ｑ１〜８、Ｒ１…貫通孔
【図１】
2020099271.tif 000003
【図２】
2020099271.tif 000004
【図３】
2020099271.tif 000005
【図４】
2020099271.tif 000006
【図５】
2020099271.tif 000007
【図６】
2020099271.tif 000008
【図７】
2020099271.tif 000009
【図８】
2020099271.tif 000010
【図９】
2020099271.tif 000011
【図１０】
2020099271.tif 000012
【図１１】
2020099271.tif 000013
【図１２】
2020099271.tif 000014
【図１３】
2020099271.tif 000015
【図１４】
2020099271.tif 000016
【図１５】
2020099271.tif 000017
【図１６】
2020099271.tif 000018
【図１７】
2020099271.tif 000019
【図１８】
2020099271.tif 000020
【図１９】
2020099271.tif 000021
【図２０】
2020099271.tif 000022
【図２１】
2020099271.tif 000023
【図２２】
2020099271.tif 000024
【図２３】
2020099271.tif 000025
【図２４】
2020099271.tif 000026
【図２５】
2020099271.tif 000027
【図２６】
2020099271.tif 000028
【図２７】
2020099271.tif 000029
【図２８】
2020099271.tif 000030
【図２９】
2020099271.tif 000031
【図３０】
2020099271.tif 000032
【図３１】
2020099271.tif 000033
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組み及び前記支持台を覆うように固定されたビニールシートと、
長手方向が前記棟の方向と平行であり、前記ハウス骨組みの屋根部に固定された支持台と、
前記支持台と同一方向の長手方向を有し、雪割り部を有し、前記ビニールシートを挟んで前記支持台に固定された防護具と
を備えることを特徴とするビニールハウス。
【請求項２】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組みを覆うように固定されたビニールシートと、
長手方向が前記棟の方向と平行であり、前記ハウス骨組みの屋根部に固定された支持台と、
前記支持台と同一方向の長手方向を有し、雪割り部を有し、前記支持台に直接固定された防護具と
を備え、前記ビニールシートが、前記支持台の下に位置して前記ハウス骨組みを覆うことを特徴とするビニールハウス。
【請求項３】
前記ビニールシートを挟んで、前記支持台へ固定されるたわみ防止用具を更に有することを特徴とする請求項２に記載のビニールハウス。
【請求項４】
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とする請求項１〜３のいずれか１項に記載のビニールハウス。
【請求項５】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組みを覆うように固定されたビニールシートと、
長手方向が前記棟の方向と平行であり、前記ハウス骨組みの屋根部に固定された支持台と、
前記支持台と同一方向の長手方向を有し、雪割り部を有し、前記支持台に固定された防護具と
を備え、
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とするビニールハウス。
【請求項６】
前記支持台が、前記第１及び第２の固定溝の間に、それぞれ板状の第１及び第２の支持部を介して、該第１及び第２の支持部に挟まれた凹部を更に有することを特徴とする、請求項５に記載のビニールハウス。
【請求項７】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組みを覆うように固定されたビニールシートと、
長手方向が前記棟の方向と平行であり、前記ハウス骨組みの屋根部に固定された支持台と、
前記支持台と同一方向の長手方向を有し、雪割り部を有し、前記支持台と一体となった構造である防護具と
を備え、
前記支持台が、前記棟の形状に適合した凹部をなす下面を有し、該下面が前記棟の稜線を挟む態様で、前記棟の方向に沿って載置され、
前記防護具が、長尺板状の矩形をなし該矩形の短辺の方向を鉛直方向として、前記矩形の長辺を前記支持台の上面が定義する稜線に接続した雪割り部を有し、
前記ビニールシートに開孔された複数の固定用孔を介して、前記支持台を前記複数本のアーチ材のそれぞれに前記ビニールシートを挟んで固定する複数の固定具を更に備えることを特徴とするビニールハウス。
【請求項８】
それぞれが棟の方向に直交する複数の面内でアーチ状に曲がる同一形状、同一寸法を有し、前記棟の方向に沿ってそれぞれ配列された複数本のアーチ材、前記複数本のアーチ材のそれぞれと直交し、前記複数本のアーチ材とでハウス骨組みを構成するように前記棟の方向に複数本配列された桁材、前記ハウス骨組みを覆うように固定されたビニールシートから構成されるビニールハウス本体に設置される防護具ユニットであって、
長手方向が前記棟の方向と平行であり、前記ハウス骨組みの屋根部に固定された支持台と、
前記支持台と同一方向の長手方向を有し、雪割り部を有し、前記支持台に固定された防護具と
を備え、
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とする防護具ユニット。
【請求項９】
前記支持台が、前記第１及び第２の固定溝の間に、それぞれ板状の第１及び第２の支持部を介して、該第１及び第２の支持部に挟まれた凹部を更に有することを特徴とする、請求項８に記載の防護具ユニット。
【請求項１０】
それぞれが棟の方向に直交する複数の面内でアーチ状に曲がる同一形状、同一寸法を有し、前記棟の方向に沿ってそれぞれ配列された複数本のアーチ材、前記複数本のアーチ材のそれぞれと直交し、前記複数本のアーチ材とでハウス骨組みを構成するように前記棟の方向に複数本配列された桁材、前記ハウス骨組みを覆うように固定されたビニールシートから構成されるビニールハウス本体に設置される防護具ユニットであって、
長手方向が前記棟の方向と平行であり、前記ハウス骨組みの屋根部に固定された支持台と、
前記支持台と同一方向の長手方向を有し、雪割り部を有し、前記支持台と一体となった構造である防護具と
を備え、
前記支持台が、前記棟の形状に適合した凹部をなす下面を有し、該下面が前記棟の稜線を挟む態様で、前記棟の方向に沿って載置され、
前記防護具が、長尺板状の矩形をなし該矩形の短辺の方向を鉛直方向として、前記矩形の長辺を前記支持台の上面が定義する稜線に接続した雪割り部を有し、
前記ビニールシートに開孔された複数の固定用孔をそれぞれ貫通する複数の固定具によって、前記支持台が前記複数本のアーチ材のそれぞれに前記ビニールシートを挟んで固定されることを特徴とする防護具ユニット。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
長手方向が前記棟の方向と平行であり、前記ハウス骨組みの屋根部に固定された支持台と、
前記ハウス骨組み及び前記支持台を覆うように固定されたビニールシートと、
前記支持台と同一方向の長手方向を有し、雪割り部を有し、前記ビニールシートを挟んで前記支持台に固定された防護具と
を備えることを特徴とするビニールハウス。
【請求項２】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組みを覆うように固定されたビニールシートと、
長手方向が前記棟の方向と平行であり、前記ハウス骨組みの屋根部に固定された支持台と、
前記支持台と同一方向の長手方向を有し、雪割り部を有し、前記支持台に直接固定された防護具と
を備え、前記ビニールシートが、前記支持台の下に位置して前記ハウス骨組みを覆うことを特徴とするビニールハウス。
【請求項３】
前記ビニールシートを挟んで、前記支持台へ固定されるたわみ防止用具を更に有することを特徴とする請求項２に記載のビニールハウス。
【請求項４】
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とする請求項１〜３のいずれか１項に記載のビニールハウス。
【請求項５】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組みを覆うように固定されたビニールシートと、
長手方向が前記棟の方向と平行であり、前記ハウス骨組みの屋根部に固定された支持台と、
前記支持台と同一方向の長手方向を有し、雪割り部を有し、前記支持台に固定された防護具と
を備え、
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とするビニールハウス。
【請求項６】
前記支持台が、前記第１及び第２の固定溝の間に、それぞれ板状の第１及び第２の支持部を介して、該第１及び第２の支持部に挟まれた凹部を更に有することを特徴とする、請求項５に記載のビニールハウス。
【請求項７】
それぞれが棟の方向に直交する複数の面内でアーチ状に曲がる同一形状、同一寸法を有し、前記棟の方向に沿ってそれぞれ配列された複数本のアーチ材と、
前記複数本のアーチ材のそれぞれと直交し、前記複数本のアーチ材とでハウス骨組みを構成するように前記棟の方向に複数本配列された桁材と、
前記ハウス骨組みを覆うように固定されたビニールシートと、
長手方向が前記棟の方向と平行であり、前記ハウス骨組みの屋根部に固定された支持台と、
前記支持台と同一方向の長手方向を有し、雪割り部を有し、前記支持台と一体となった構造である防護具と
を備え、
前記支持台が、前記棟の形状に適合した凹部をなす下面を有し、該下面が前記棟の稜線を挟む態様で、前記棟の方向に沿って載置され、
前記防護具が、長尺板状の矩形をなし該矩形の短辺の方向を鉛直方向として、前記矩形の長辺を前記支持台の上面が定義する稜線に接続した雪割り部を有し、
前記ビニールシートに開孔された複数の固定用孔を介して、前記支持台を前記複数本のアーチ材のそれぞれに前記ビニールシートを挟んで固定する複数の固定具を更に備えることを特徴とするビニールハウス。
【請求項８】
それぞれが棟の方向に直交する複数の面内でアーチ状に曲がる同一形状、同一寸法を有し、前記棟の方向に沿ってそれぞれ配列された複数本のアーチ材、前記複数本のアーチ材のそれぞれと直交し、前記複数本のアーチ材とでハウス骨組みを構成するように前記棟の方向に複数本配列された桁材、前記ハウス骨組みを覆うように固定されたビニールシートから構成されるビニールハウス本体に設置される防護具ユニットであって、
長手方向が前記棟の方向と平行であり、前記ハウス骨組みの屋根部に固定された支持台と、
前記支持台と同一方向の長手方向を有し、雪割り部を有し、前記支持台に固定された防護具と
を備え、
前記支持台が、前記棟の方向と平行に設けられた第１及び第２の固定溝の各底部で前記ハウス骨組みの屋根部と接続し、前記第１及び第２の固定溝にそれぞれ連続する矩形板状の第１及び第２の辺縁部を有し、
前記防護具が、短手方向の両端部が第１及び第２の鉤爪形状であり、中央部に前記棟の方向に平行な前記雪割り部を突起部として有し、前記両端部が前記第１及び第２の辺縁部を包み込むことを特徴とする防護具ユニット。
【請求項９】
前記支持台が、前記第１及び第２の固定溝の間に、それぞれ板状の第１及び第２の支持部を介して、該第１及び第２の支持部に挟まれた凹部を更に有することを特徴とする、請求項８に記載の防護具ユニット。
【請求項１０】
それぞれが棟の方向に直交する複数の面内でアーチ状に曲がる同一形状、同一寸法を有し、前記棟の方向に沿ってそれぞれ配列された複数本のアーチ材、前記複数本のアーチ材のそれぞれと直交し、前記複数本のアーチ材とでハウス骨組みを構成するように前記棟の方向に複数本配列された桁材、前記ハウス骨組みを覆うように固定されたビニールシートから構成されるビニールハウス本体に設置される防護具ユニットであって、
長手方向が前記棟の方向と平行であり、前記ハウス骨組みの屋根部に固定された支持台と、
前記支持台と同一方向の長手方向を有し、雪割り部を有し、前記支持台と一体となった構造である防護具と
を備え、
前記支持台が、前記棟の形状に適合した凹部をなす下面を有し、該下面が前記棟の稜線を挟む態様で、前記棟の方向に沿って載置され、
前記防護具が、長尺板状の矩形をなし該矩形の短辺の方向を鉛直方向として、前記矩形の長辺を前記支持台の上面が定義する稜線に接続した雪割り部を有し、
前記ビニールシートに開孔された複数の固定用孔をそれぞれ貫通する複数の固定具によって、前記支持台が前記複数本のアーチ材のそれぞれに前記ビニールシートを挟んで固定されることを特徴とする防護具ユニット。